(57)【要約】【課題】従来は、表示部で複数の表示画面に切り換えるには、操作キーを押す必要が有り、操作に手間がかかっていた。【解決手段】本発明の電子機器では、電子機器のカメラの撮影方向と被撮影対象物の位置方向との相対角度を所定方向に所定角度以上変位させたり、使用者指定の第１登録映像に続き使用者指定の第２登録映像を所定時間内にカメラキーを押すことなく撮影することにより、表示部の表示状態を切替え、交互に表示できる。このように電子機器がカメラによる撮影映像を検出することにより、表示部に少なくとも２つの表示状態で情報を容易に表示させ、操作性を向上させる。【選択図】図３
2009300884.tif 000002
【特許請求の範囲】
【請求項１】
画像を表示する表示手段と、
被写体を撮影する撮影手段と、
前記撮影手段が起動された撮影可能状態において前記表示手段に所定の画像を表示する制御を行なう手段であって、第１画像表示状態と第２画像表示状態とのいずれかに表示制御可能な画像表示制御手段と、
前記撮影手段によって得られる被写体映像に基づいて前記第１画像表示状態から前記第２画像表示状態に切替えるための判定条件を記憶する判定条件記憶手段と、
使用者が前記撮影手段を使用することにより該撮影手段により得られた被写体映像が前記判定条件記憶手段に記憶されている判定条件に合致するか否かを判定する判定手段とを備え、
前記画像表示制御手段は、前記判定手段により判定条件に合致する旨の判定が行なわれたことを条件として、前記第１画像表示状態から前記第２画像表示状態に切替える表示状態切替手段を含む、電子機器。
【請求項２】
前記撮影手段が撮影した映像の内から、前記判定条件として使用させるために使用者が指定する判定条件映像を受付ける判定条件映像受付手段をさらに備え、
前記判定条件記憶手段は、前記判定条件映像受付手段により受付けられた判定条件映像を前記判定条件に使用する映像として記憶し、
前記判定手段は、使用者が前記撮影手段を使用することにより該撮影手段により得られた被写体映像が前記判定条件記憶手段に記憶されている判定条件映像を含むか否かにより前記判定条件に合致するか否かを判定する、請求項１に記載の電子機器。
【請求項３】
前記判定条件記憶手段は、前記撮影手段によって得られる被写体映像が変化する特定の変化態様を前記判定条件として記憶し、
前記判定手段は、使用者が前記撮影手段を使用することにより該撮影手段により得られた被写体映像が、前記判定条件記憶手段に記憶されている前記特定の変化態様で変化したか否かにより前記判定条件に合致するか否かを判定する、請求項１に記載の電子機器。
【請求項４】
前記撮影手段が撮影した映像の内から、前記判定条件として使用させるために使用者が指定する判定条件映像を受付ける判定条件映像受付手段と、
前記判定条件映像に含まれる被写体と同じ被写体を前記撮影手段が撮影した撮影映像の１つを比較撮影映像として特定する比較撮影映像特定手段とをさらに備え、
前記判定条件記憶手段は、前記判定条件映像受付手段により受付けられた判定条件映像と前記比較撮影映像特定手段が特定する比較撮影映像とを前記判定条件に使用する映像として記憶し、
前記判定手段は、
前記判定条件映像を撮影時の前記撮影手段の撮影方向に対する前記比較撮影映像を撮影時の前記撮影手段の撮影方向の変位により、前記比較撮影映像を撮影時の撮影方向が前記判定条件映像を撮影時の撮影方向より所定方向に変位しているか否かを判定する撮影方向判定手段と、
前記判定条件映像を撮影時の前記撮影手段の撮影方向に対する前記比較撮影映像を撮影時の前記撮影手段の撮影方向の変位により、前記比較撮影映像を撮影時の撮影角度が前記特定映像を撮影時の撮影角度より所定角度以上変位しているか否かを判定する撮影角度判定手段とを含み、
前記撮影方向判定手段により前記比較撮影映像を撮影時の撮影方向が前記判定条件映像を撮影時の撮影方向より所定方向に変位していると判定され、且つ、前記撮影角度判定手段により前記比較撮影映像を撮影時の撮影角度が前記判定条件映像を撮影時の撮影角度より所定角度以上変位していると判定されるか否かにより前記判定条件に合致するか否かを判定する、請求項１に記載の電子機器。
【請求項５】
前記第１画像表示状態で前記表示手段に表示している画像に、前記表示手段に表示しきれずに残っている未表示の画像データが存在するか否かを検出する未表示画像存在検出手段をさらに備え、
前記表示状態切替手段は、前記未表示画像存在検出手段が前記未表示の画像データの存在を検出したときには、前記第２画像表示状態として、該未表示の画像データの画像を表示する状態に切替える、請求項１〜４のいずれかに記載の電子機器。
【請求項６】
前記第１画像表示状態で前記表示手段に表示している画像に、前記表示手段に表示しきれずに残っている未表示の画像データが存在するか否かを検出する未表示画像存在検出手段をさらに備え、
前記表示状態切替手段は、前記未表示画像存在検出手段が前記未表示の画像データの存在を検出したときには、前記第２画像表示状態として、前記表示手段をスクロール表示にして該未表示の画像データをスクロール表示可能とする表示状態に切替える、請求項１〜４のいずれかに記載の電子機器。
【請求項７】
使用者が操作することによって前記第１画像表示状態から前記第２画像表示状態に切替える表示状態切替操作手段と、
前記表示状態切替手段の切替動作の使用者による禁止指定を受付ける切替禁止指定受付手段とをさらに備える、請求項１〜６のいずれかに記載の電子機器。
【請求項８】
使用者が操作することによって前記第１画像表示状態で表示している画像のデータ内容を編集する画像編集操作手段と、
使用者が前記画像編集操作手段を使用して前記第１画像表示状態で表示している画像のデータ内容を編集中であるか否かを検知する画像編集操作検知手段と、
前記画像編集操作検知手段が編集中であると検知したときは、前記画像編集操作検知手段が編集終了を検知するまで、前記表示状態切替手段の切替動作を禁止する切替禁止手段とをさらに備える、請求項１〜６のいずれかに記載の電子機器。
【請求項９】
前記表示状態切替手段の切替動作が禁止されていないかを確認する切替禁止確認手段をさらに備え、
前記表示状態切替手段は、前記切替禁止確認手段により前記表示状態切替手段の切替動作が禁止されていないことをさらに確認した後に、前記第１画像表示状態から前記第２画像表示状態に切替える、請求項７または８に記載の電子機器。
【請求項１０】
手に持って操作可能な携帯型である、請求項１〜９のいずれかに記載の電子機器。
【請求項１１】
前記撮影手段は、
前記表示手段の付近に位置し、
前記表示手段を閲覧する使用者の方向を被撮影対象方向とする、請求項１〜１０のいずれかに記載の電子機器。
【請求項１２】
画像を表示する表示手段と、被写体を撮影する撮影手段とを備えた電子機器の表示制御方法であって、
前記撮影手段が起動された撮影可能状態において前記表示手段に所定の画像を表示する制御を行なうステップであって、第１画像表示状態と第２画像表示状態とのいずれかに表示制御可能な画像表示制御ステップと、
前記撮影手段によって得られる被写体映像に基づいて前記第１画像表示状態から前記第２画像表示状態に切替えるための判定条件を記憶する判定条件記憶ステップと、
使用者が前記撮影手段を使用することにより該撮影手段により得られた被写体映像が前記判定条件記憶ステップに記憶されている判定条件に合致するか否かを判定する判定ステップとを含み、
前記画像表示制御ステップは、前記判定ステップにより判定条件に合致する旨の判定が行なわれたことを条件として、前記第１画像表示状態から前記第２画像表示状態に切替える表示状態切替ステップを含む、電子機器の表示制御方法。
【請求項１３】
画像を表示する表示手段と、被写体を撮影する撮影手段とを備えた電子機器の表示制御方法をコンピュータに実行させるコンピュータ読み取り可能なプログラムであって、
前記撮影手段が起動された撮影可能状態において前記表示手段に所定の画像を表示する制御を行なうステップであって、第１画像表示状態と第２画像表示状態とのいずれかに表示制御可能な画像表示制御ステップと、
前記撮影手段によって得られる被写体映像に基づいて前記第１画像表示状態から前記第２画像表示状態に切替えるための判定条件を記憶する判定条件記憶ステップと、
使用者が前記撮影手段を使用することにより該撮影手段により得られた被写体映像が前記判定条件記憶ステップに記憶されている判定条件に合致するか否かを判定する判定ステップとをコンピュータに実行させ、
前記画像表示制御ステップは、前記判定ステップにより判定条件に合致する旨の判定が行なわれたことを条件として、前記第１画像表示状態から前記第２画像表示状態に切替える表示状態切替ステップをコンピュータに実行させる、コンピュータ読み取り可能なプログラム。
【請求項１４】
画像を表示する表示手段と、被写体を撮影する撮影手段とを備えた電子機器の表示制御方法をコンピュータに実行させるコンピュータ読み取り可能なプログラムを記録した記録媒体であって、
前記撮影手段が起動された撮影可能状態において前記表示手段に所定の画像を表示する制御を行なうステップであって、第１画像表示状態と第２画像表示状態とのいずれかに表示制御可能な画像表示制御ステップと、
前記撮影手段によって得られる被写体映像に基づいて前記第１画像表示状態から前記第２画像表示状態に切替えるための判定条件を記憶する判定条件記憶ステップと、
使用者が前記撮影手段を使用することにより該撮影手段により得られた被写体映像が前記判定条件記憶ステップに記憶されている判定条件に合致するか否かを判定する判定ステップとをコンピュータに実行させ、
前記画像表示制御ステップは、前記判定ステップにより判定条件に合致する旨の判定が行なわれたことを条件として、前記第１画像表示状態から前記第２画像表示状態に切替える表示状態切替ステップをコンピュータに実行させる、コンピュータ読み取り可能なプログラムを記録した記録媒体。
【発明の詳細な説明】
【技術分野】
【０００１】
本発明は、撮影手段を有する電子機器において、撮影手段によって得られる被写体映像に基づいて判定させることにより、使用者が操作部を操作することなく、表示手段に表示する表示状態を第１画像表示状態から第２画像表示状態に切替可能とする画像表示状態の切替技術に関する。
【背景技術】
【０００２】
従来の携帯電話機器では、１つの表示部の表示画面を分割表示し、使用者が、分割表示された画面に従い、対応する操作部を操作し、所望の表示画面を表示させることができた（例えば、特許文献１参照）。
【０００３】
また、従来の携帯型小型情報機器では、１つの表示部の表示画面を分割表示し、その中の１つの分割画面に対し、一定時間毎に自動的にシフトしながら、異なる情報を表示させることができた（例えば、特許文献２参照）。
【０００４】
また、従来の携帯型小型情報機器では、表示部にスリット機能を設け、表示部に対する使用者の視角により、異なる複数の画面を表示するデュアルビューモードにより、１つの表示部に対し、少なくとも２画面以上を同時に表示可能とし、所定面に対する当該携帯型電子機器の傾きを計測する傾きセンサ、または、当該携帯型電子機器の加速度を計測する加速度センサの計測結果に基づいて、前記デュアルビューモードにより表示する複数の画面の内の１方を自動的に選択してアクティブ画面とし、表示する他の画面を非アクティブ画面とすることができた（例えば、特許文献３参照）。
【特許文献１】特開２０００−１０７０２号公報
【特許文献２】特開平１１−１５６２９号公報（図２〜図４）
【特許文献３】特開２００７−２０６１０８号公報
【発明の開示】
【発明が解決しようとする課題】
【０００５】
従来の電子機器では、１つ表示部に対し、１つの表示画面が表示され、使用者は、その表示画面に従い、操作部を用いて所望の表示画面を表示させていた。特に、メールモードの受信メール一覧画面と該一覧画面から選択される個々の受信メール画面とのように、互いに関連し、リンクした画面では、使用者が操作部を操作し、表示部に両画面を交互に表示させていた。そして、使用者は、同じ操作を繰り返し行なうことで、所望の受信メール画面を表示部に表示させていた。そのため、使用者にとって、操作部の繰り返し操作が手間であるという問題があった。
【０００６】
また、携帯電話機等の携帯機器では、携帯機器全体の大きさにより、表示部の大きさが限定されてしまうため、表示部に表示されるデータ量にも限りがあった。そのため使用者の操作により、スクロール表示等表示画面を移行させて表示すべきすべてのデータ量を表示する必要性があり、使用者の利便性に問題があった。
【０００７】
本発明は、撮影手段を有する電子機器において、撮影手段によって得られる被写体映像に基づいて判定させることにより、使用者が操作部を操作することなく、表示手段に表示する表示状態を第１画像表示状態から第２画像表示状態に切替可能とし、上述した課題を解決することを目的とする。
【課題を解決するための手段】
【０００８】
本発明のある局面に係る電子機器は、
画像を表示する表示手段と、
被写体を撮影する撮影手段と、
前記撮影手段が起動された撮影可能状態において前記表示手段に所定の画像を表示する制御を行なう手段であって、第１画像表示状態と第２画像表示状態とのいずれかに表示制御可能な画像表示制御手段と、
前記撮影手段によって得られる被写体映像に基づいて前記第１画像表示状態から前記第２画像表示状態に切替えるための判定条件を記憶する判定条件記憶手段と、
使用者が前記撮影手段を使用することにより該撮影手段により得られた被写体映像が前記判定条件記憶手段に記憶されている判定条件に合致するか否かを判定する判定手段とを備え、
前記画像表示制御手段は、前記判定手段により判定条件に合致する旨の判定が行なわれたことを条件として、前記第１画像表示状態から前記第２画像表示状態に切替える表示状態切替手段を含む。
【０００９】
この発明によれば、撮影手段を有する電子機器において、撮影手段により得られた被写体映像が判定条件記憶手段に記憶されている判定条件に合致するか否かを判定することにより、使用者が操作部を操作することなく、表示手段の表示状態を第１画像表示状態から第２画像表示状態に切替可能となる。使用者が使用者の意思に従って撮影手段により撮影した被写体映像により、操作部を操作することなく、表示手段に表示する表示状態を切替可能になる。なお、ここでいう画像とは、画像データからなる画像のみならず文字データからなる画像をも含む画像の総称である。
【００１０】
好ましくは、電子機器は、
前記撮影手段が撮影した映像の内から、前記判定条件として使用させるために使用者が指定する判定条件映像を受付ける判定条件映像受付手段をさらに備え、
前記判定条件記憶手段は、前記判定条件映像受付手段により受付けられた判定条件映像を前記判定条件に使用する映像として記憶し、
前記判定手段は、使用者が前記撮影手段を使用することにより該撮影手段により得られた被写体映像が前記判定条件記憶手段に記憶されている判定条件映像を含むか否かにより前記判定条件に合致するか否かを判定する。
【００１１】
この発明によれば、撮影手段により得られた被写体映像が使用者指定の判定条件映像を含むときに、判定手段は判定条件に合致すると判定し、表示状態切替手段は、表示手段の表示状態を第１画像表示状態から第２画像表示状態に切替える。つまり、使用者の意思に従って表示手段の表示状態を切替可能になる。
【００１２】
好ましくは、電子機器は、
前記判定条件記憶手段は、前記撮影手段によって得られる被写体映像が変化する特定の変化態様を前記判定条件として記憶し、
前記判定手段は、使用者が前記撮影手段を使用することにより該撮影手段により得られた被写体映像が、前記判定条件記憶手段に記憶されている前記特定の変化態様で変化したか否かにより前記判定条件に合致するか否かを判定する。
【００１３】
この発明によれば、撮影手段により得られた被写体映像が、判定条件記憶手段に記憶されている特定の変化態様で変化したときに、判定手段は判定条件に合致すると判定し、表示状態切替手段は、表示手段の表示状態を第１画像表示状態から第２画像表示状態に切替える。
【００１４】
好ましくは、電子機器は、
前記撮影手段が撮影した映像の内から、前記判定条件として使用させるために使用者が指定する判定条件映像を受付ける判定条件映像受付手段と、
前記判定条件映像に含まれる被写体と同じ被写体を前記撮影手段が撮影した撮影映像の１つを比較撮影映像として特定する比較撮影映像特定手段とをさらに備え、
前記判定条件記憶手段は、前記判定条件映像受付手段により受付けられた判定条件映像と前記比較撮影映像特定手段が特定する比較撮影映像とを前記判定条件に使用する映像として記憶し、
前記判定手段は、
前記判定条件映像を撮影時の前記撮影手段の撮影方向に対する前記比較撮影映像を撮影時の前記撮影手段の撮影方向の変位により、前記比較撮影映像を撮影時の撮影方向が前記判定条件映像を撮影時の撮影方向より所定方向に変位しているか否かを判定する撮影方向判定手段と、
前記判定条件映像を撮影時の前記撮影手段の撮影方向に対する前記比較撮影映像を撮影時の前記撮影手段の撮影方向の変位により、前記比較撮影映像を撮影時の撮影角度が前記特定映像を撮影時の撮影角度より所定角度以上変位しているか否かを判定する撮影角度判定手段とを含み、
前記撮影方向判定手段により前記比較撮影映像を撮影時の撮影方向が前記判定条件映像を撮影時の撮影方向より所定方向に変位していると判定され、且つ、前記撮影角度判定手段により前記比較撮影映像を撮影時の撮影角度が前記判定条件映像を撮影時の撮影角度より所定角度以上変位していると判定されるか否かにより前記判定条件に合致するか否かを判定する。
【００１５】
この発明によれば、撮影方向判定手段により比較撮影映像を撮影時の撮影方向が判定条件映像を撮影時の撮影方向より所定方向に変位していると判定され、且つ、撮影角度判定手段により比較撮影映像を撮影時の撮影角度が判定条件映像を撮影時の撮影角度より所定角度以上変位していると判定されたときに、判定手段は、撮影手段により得られた被写体映像が判定条件記憶手段に記憶されている判定条件に合致すると判定し、表示状態切替手段は、表示状態を第１画像表示状態から第２画像表示状態に切替える。
【００１６】
好ましくは、電子機器は、
前記第１画像表示状態で前記表示手段に表示している画像に、前記表示手段に表示しきれずに残っている未表示の画像データが存在するか否かを検出する未表示画像存在検出手段をさらに備え、
前記表示状態切替手段は、前記未表示画像存在検出手段が前記未表示の画像データの存在を検出したときには、前記第２画像表示状態として、該未表示の画像データの画像を表示する状態に切替える。
【００１７】
この発明によれば、使用者が電子機器を持った手を動かしたり、電子機器の撮影手段に向って使用者が動くという簡単な動作で撮影手段によって得られる被写体映像を変化させることで、容易に表示状態切替手段を動作させ、表示手段に画像を表示している状態（第１画像表示状態）から、表示手段に表示しきれずに残っている未表示の画像データを表示する状態（第２画像表示状態）に切替えることができる。
【００１８】
好ましくは、電子機器は、
前記第１画像表示状態で前記表示手段に表示している画像に、前記表示手段に表示しきれずに残っている未表示の画像データが存在するか否かを検出する未表示画像存在検出手段をさらに備え、
前記表示状態切替手段は、前記未表示画像存在検出手段が前記未表示の画像データの存在を検出したときには、前記第２画像表示状態として、前記表示手段をスクロール表示にして該未表示の画像データをスクロール表示可能とする表示状態に切替える。
【００１９】
この発明によれば、撮影手段によって得られる被写体映像が判定条件記憶手段に記憶されている判定条件に合致し、表示手段に表示している画像に、表示手段に表示しきれずに残っている未表示の画像データが存在するときは、表示手段の表示画面をスクロール表示状態にする。このためこの未表示の画像データをも含む画像データを使用者が連続した情報として閲覧可能になる。
【００２０】
好ましくは、電子機器は、
使用者が操作することによって前記第１画像表示状態から前記第２画像表示状態に切替える表示状態切替操作手段と、
前記表示状態切替手段の切替動作の使用者による禁止指定を受付ける切替禁止指定受付手段とをさらに備える。
【００２１】
この発明によれば、切替禁止指定受付手段により表示状態切替手段の切替動作を禁止でき、使用者が表示状態切替操作手段を操作することによって表示手段の表示状態を第１画像表示状態から第２画像表示状態に切替可能になる。このため使用者が意図しないのに、使用者が電子機器を持った手を不用意に動かすことによる切替動作の誤動作、撮影手段によって得られる被写体映像に基づく判定手段の判定が誤り易い状況下、たとえば、判定条件映像の被写体と同種類の複数の被写体が被写体映像に存在する条件下、における切替動作の誤動作を防止することができる。
【００２２】
好ましくは、電子機器は、
使用者が操作することによって前記第１画像表示状態で表示している画像のデータ内容を編集する画像編集操作手段と、
使用者が前記画像編集操作手段を使用して前記第１画像表示状態で表示している画像のデータ内容を編集中であるか否かを検知する画像編集操作検知手段と、
前記画像編集操作検知手段が編集中であると検知したときは、前記画像編集操作検知手段が編集終了を検知するまで、前記表示状態切替手段の切替動作を禁止する切替禁止手段とをさらに備える。
【００２３】
この発明によれば、たとえば、使用者が表示画面を見ながら画像編集操作手段を操作してメール本文の編集などの所定の操作を行なっているときには、表示状態切替手段の切替動作が禁止される。この結果、使用者に対する電子機器の向きを不用意に動かしても、表示状態切替手段が動作することはなく、使用者の意図しない誤操作を防ぐことができる。
【００２４】
好ましくは、電子機器は、
前記表示状態切替手段の切替動作が禁止されていないかを確認する切替禁止確認手段をさらに備え、
前記表示状態切替手段は、前記切替禁止確認手段により前記表示状態切替手段の切替動作が禁止されていないことをさらに確認した後に、前記第１画像表示状態から前記第２画像表示状態に切替える。
【００２５】
この発明によれば、使用者が意図しないのに、使用者が電子機器を持った手を不用意に動かすことによる切替動作の誤動作、撮影手段によって得られる被写体映像に基づく判定手段の判定が誤り易い状況下、たとえば、判定条件映像の被写体と同種類の複数の被写体が被写体映像に存在する条件下、における切替動作の誤動作を防止することができる。
【００２６】
本発明の他の局面に係る電子機器は、手に持って操作可能な携帯型である。
好ましくは、前記撮影手段は、
前記表示手段の付近に位置し、
前記表示手段を閲覧する使用者の方向を被撮影対象方向とする。
【００２７】
これらの発明によれば、電子機器が手に持って操作可能な携帯型であり、撮影手段が表示手段の付近に位置し、表示手段を閲覧する使用者の方向を撮影手段の被撮影対象方向とするため、使用者が電子機器を手に持って、電子機器の表示手段を閲覧すれば、自ずと電子機器の撮影手段が使用者の顔面を撮影することになる。使用者がたとえば、電子機器を右手に持って、電子機器の表示手段を使用者に向けて、すなわち、使用者の方向を撮影手段の撮影方向として、右方向に振れば、使用者の位置を中心とし、電子機器を持った右手の位置を半径とする円弧を描いて右方向に電子機器は変位する。このため、電子機器の撮影手段が使用者の顔面の右側部を撮影することになる。
【００２８】
たとえば、第１特定映像を使用者の顔面正面部の撮影映像（図５参照）とし、第２特定映像を使用者の右斜め前からの顔面の撮影映像（所定角度をθ＝３０°としたときの図６参照）とする。そして判定条件記憶手段に記憶する特定の変化態様が所定時間（たとえば１秒間）内に第１特定映像に続き第２特定映像が撮影手段により撮影されることとする。
【００２９】
電子機器を右手に持って、使用者の方向を撮影手段の撮影方向として、使用者の顔の真前から顔の右斜め前（所定角度を３０°としたとき、３０°以上、たとえば図４のθ＝４５°程度）まで右方向に振れば、使用者の顔面正面部の撮影映像（図５参照）から顔面右斜め前の撮影映像（たとえばθ＝４５°としたときの図６参照）までが撮影手段により撮影される。このため所定時間内に第１特定映像に続き第２特定映像が撮影手段により撮影されるため、判定手段は判定条件記憶手段に記憶されている判定条件に合致すると判定する。
【００３０】
また、電子機器を右手に持って、使用者の方向を撮影手段の撮影方向となるように電子機器の表示手段を使用者に向けて、右方向に振る代わりに、電子機器を右手に持つとか、静止させておいて、電子機器の表示手段を使用者に向けたままで、使用者が左方向に向きを変えても同様である。
【００３１】
本発明のさらなる他の局面に係る電子機器の表示制御方法は、
画像を表示する表示手段と、被写体を撮影する撮影手段とを備えた電子機器の表示制御方法であって、
前記撮影手段が起動された撮影可能状態において前記表示手段に所定の画像を表示する制御を行なうステップであって、第１画像表示状態と第２画像表示状態とのいずれかに表示制御可能な画像表示制御ステップと、
前記撮影手段によって得られる被写体映像に基づいて前記第１画像表示状態から前記第２画像表示状態に切替えるための判定条件を記憶する判定条件記憶ステップと、
使用者が前記撮影手段を使用することにより該撮影手段により得られた被写体映像が前記判定条件記憶ステップに記憶されている判定条件に合致するか否かを判定する判定ステップとを含み、
前記画像表示制御ステップは、前記判定ステップにより判定条件に合致する旨の判定が行なわれたことを条件として、前記第１画像表示状態から前記第２画像表示状態に切替える表示状態切替ステップを含む。
【００３２】
この発明によれば、撮影手段を有する電子機器において、撮影手段により得られた被写体映像が判定条件記憶ステップに記憶されている判定条件に合致するか否かを判定することにより、使用者が操作部を操作することなく、表示手段の表示状態を第１画像表示状態から第２画像表示状態に切替可能となる。使用者が使用者の意思に従って撮影手段により撮影した被写体映像により、操作部を操作することなく、表示手段に表示する表示状態を切替可能になる。
【００３３】
本発明のさらなる他の局面に係るコンピュータ読み取り可能なプログラムは、
画像を表示する表示手段と、被写体を撮影する撮影手段とを備えた電子機器の表示制御方法をコンピュータに実行させるコンピュータ読み取り可能なプログラムであって、
前記撮影手段が起動された撮影可能状態において前記表示手段に所定の画像を表示する制御を行なうステップであって、第１画像表示状態と第２画像表示状態とのいずれかに表示制御可能な画像表示制御ステップと、
前記撮影手段によって得られる被写体映像に基づいて前記第１画像表示状態から前記第２画像表示状態に切替えるための判定条件を記憶する判定条件記憶ステップと、
使用者が前記撮影手段を使用することにより該撮影手段により得られた被写体映像が前記判定条件記憶ステップに記憶されている判定条件に合致するか否かを判定する判定ステップとをコンピュータに実行させ、
前記画像表示制御ステップは、前記判定ステップにより判定条件に合致する旨の判定が行なわれたことを条件として、前記第１画像表示状態から前記第２画像表示状態に切替える表示状態切替ステップをコンピュータに実行させる。
【００３４】
この発明によれば、撮影手段を有する電子機器において、撮影手段により得られた被写体映像が判定条件記憶ステップに記憶されている判定条件に合致するか否かを判定することにより、使用者が操作部を操作することなく、表示手段の表示状態を第１画像表示状態から第２画像表示状態に切替可能となる。使用者が使用者の意思に従って撮影手段により撮影した被写体映像により、操作部を操作することなく、表示手段に表示する表示状態を切替可能になる。
【００３５】
本発明のさらなる他の局面に係る記録媒体は、
画像を表示する表示手段と、被写体を撮影する撮影手段とを備えた電子機器の表示制御方法をコンピュータに実行させるコンピュータ読み取り可能なプログラムを記録した記録媒体であって、
前記撮影手段が起動された撮影可能状態において前記表示手段に所定の画像を表示する制御を行なうステップであって、第１画像表示状態と第２画像表示状態とのいずれかに表示制御可能な画像表示制御ステップと、
前記撮影手段によって得られる被写体映像に基づいて前記第１画像表示状態から前記第２画像表示状態に切替えるための判定条件を記憶する判定条件記憶ステップと、
使用者が前記撮影手段を使用することにより該撮影手段により得られた被写体映像が前記判定条件記憶ステップに記憶されている判定条件に合致するか否かを判定する判定ステップとをコンピュータに実行させ、
前記画像表示制御ステップは、前記判定ステップにより判定条件に合致する旨の判定が行なわれたことを条件として、前記第１画像表示状態から前記第２画像表示状態に切替える表示状態切替ステップをコンピュータに実行させる、コンピュータ読み取り可能なプログラムを記録する。
【００３６】
この発明によれば、撮影手段を有する電子機器において、撮影手段により得られた被写体映像が判定条件記憶ステップに記憶されている判定条件に合致するか否かを判定することにより、使用者が操作部を操作することなく、表示手段の表示状態を第１画像表示状態から第２画像表示状態に切替可能となる。使用者が使用者の意思に従って撮影手段により撮影した被写体映像により、操作部を操作することなく、表示手段に表示する表示状態を切替可能になる。
【発明の効果】
【００３７】
本発明では、撮影手段を有する電子機器において、撮影手段により得られた被写体映像が判定条件記憶ステップに記憶されている判定条件に合致するか否かを判定することにより、使用者が操作部を操作することなく、表示手段の表示状態を第１画像表示状態から第２画像表示状態に切替可能となる。使用者が使用者の意思に従って撮影手段により撮影した被写体映像により、操作部を操作することなく、表示手段に表示する表示状態を切替えることができ、表示手段に表示された画面がアクティブ画面になる。
【００３８】
また、切替動作の禁止手段をさらに備えた場合には、使用者の意図しない切替動作の誤動作を防止することができる。
【発明を実施するための最良の形態】
【００３９】
以下、本発明の実施の形態について図面を参照しながら説明する。本発明は、例えば、ＴＶ、ＰＣ（Personal  Computer）、ＰＩＣ（Personal  Intelligent  Communicator）、電子カメラ、ゲーム機器、カーナビゲーション等ディスプレイ画面を有する任意の電子機器に適用できるが、以下では、好適な実施の形態として、折り畳み可能な携帯電話機１について説明する。尚、以下では折り畳み可能な携帯電話機が示されているが、この形態に限定されるものではなく、例えば、ストレート式の携帯電話機の場合でも良い。
【００４０】
＜第１実施形態＞
以下に、本発明における第１実施形態について、図１〜図２１を参照にして詳細に説明する。まず、図１は本発明の第１実施形態である携帯電話機１の折畳み機構部６を開いた状態で、操作部１５、表示部１４、撮影部１７などが現れる蓋部４、本体部５を内側から見た外観図である。図２は携帯電話機１の電気的構成を説明する概略機能ブロック図である。図３は制御部１１が備える、表示部１４の表示を制御する画像表示制御手段１１１について説明する概略機能ブロック図である。
【００４１】
図１に示す如く、スピーカ２は携帯電話機１の四角形状の表示部１４を備える蓋部４の内側の上方中央に配置され、撮影部１７はスピーカ２の傍に表示部１４の表示面を閲覧する使用者の方向を被撮影対象方向として配置されている。マイク３は操作部１５を備える本体部５の内側の下方中央に配置されている。また、操作部１５は、本体部５の内側に四角で囲んで示す部分であり本体部５の内側の大部分の面積を占めている。操作部１５は、決定を行うためのセンターキー１５１、カメラ機能を起動させるカメラキー１５２、電源をＯＮ／ＯＦＦするための電源キー１５３、メール機能を起動させるメールキー１５４、戻しキー１５７、センターキー１５１の周囲に上下左右それぞれの方向を矢指する十字キー１５５、数字入力及び文字入力を行うテンキー１５６等から構成されている。
【００４２】
撮影部１７を用いて被写体（被撮影対象物）を撮影するには、カメラキー１５２を押下げてカメラ機能を起動させておき、表示部１４で被写体（被撮影対象物）を確認しながら、操作部１５のセンターキー１５１を押下する。なお、カメラ機能を起動させた状態では、表示部１４に撮影部１７が撮影する被写体（被撮影対象物）が表示される。
【００４３】
図２に示す如く、第１実施形態の携帯電話機１は、主に、制御部１１、メモリ１２、表示ドライバ部１３、表示部１４、操作部１５、バックライト１６、撮影部１７、通信制御部１８、無線部１９、アンテナ２０を備えている。
【００４４】
制御部１１は、携帯電話機１を構成する各部位の動作を制御し、例えば、メモリ１２、表示ドライバ部１３、バックライト１６、撮影部１７、通信制御部１８などを制御する。制御部１１は、画像表示制御手段１１１、モード切替手段１１７を備えている。
【００４５】
メモリ１２は、読み出し及び書き込み可能なＲＡＭ（Random  Access  Memory）であり、たとえば、ワークメモリ及び不揮発メモリから構成される。メモリ１２では、たとえば、電話帳ファイル、スケジュールファイル、電子メールファイル等が保存されている。そして、電話帳ファイルでは、電話帳検索機能における氏名、電話番号、メールアドレス等の個人情報データが保存されている。スケジュールファイルでは、予定、相手先氏名等のスケジュール情報データが保存されている。電子メールファイルでは、受信メールデータ、送信メールデータ等が保存されている。また、メモリ１２は、アンテナ２０等を介して受信した各種受信データ、たとえば、画像データ、音楽データ、文字データ等も保存する。一方、図２には示していないが、携帯電話機１には、読み出し専用であるＲＯＭ（Read  Only  Memory）から成るメモリもあり、出荷時に、予め、設定されている画像データ、音楽データも保存されている。
【００４６】
制御部１１は、表示ドライバ部１３に制御信号を送信するとともに、メモリ１２に記憶されている文字データ、画像データを、表示ドライバ部１３に送る。表示ドライバ部１３は、表示部１４に表示しようとする文字データ、画像データに従って、表示部１４の各画像電極に対して駆動電圧を印加する。表示部１４は、液晶ディスプレイ及びＥＬ（Electro  Luminescence）ディスプレイなどで実現され、表示ドライバ部１３を介して送られてくる文字データ、画像データに基づく画像を表示する。操作部１５は、上述したように、数字及び文字を入力するためのテンキー１５６などから構成される。
【００４７】
バックライト１６は、発光素子である発光ダイオードなどから構成され、表示部１４を背面より照明する。バックライト１６の点灯、消灯の制御及び輝度調整などの制御は、制御部１１によって行なわれる。なお、バックライト１６は、使用者によって消灯するための所定の操作が行われるまで点灯する構成としてもよいし、点灯してから所定時間が経過すると消灯する構成としてもよい。
【００４８】
制御部１１は、画面表示を制御する画像表示制御手段１１１や、携帯電話機１が備える各種モードを切替えるモード切替手段１１７を備える。画像表示制御手段１１１については後に詳しく説明する。
【００４９】
撮影部１７は、ＣＭＯＳイメージセンサ（Complementary  Metal  Oxide  Semiconductor  Image  Sensor）やＣＣＤイメージセンサ（Charge  Coupled  Device  Image  Sensor)などの固体撮像素子などから構成される。
【００５０】
アンテナ２０は、電波を介して基地局と無線通信を行うときに、音声データ、文字データ及び画像データなどを送受信する。無線部１９は、所定の通信プロトコルに基づいて、受信時は、基地局からアンテナ２０を介して受信したデータを復調し、送信時は、通信制御部１８から送られてくる文字データ及び画像データ等を変調して増幅し、アンテナ２０を介して基地局に送信する。通信制御部１８は、受信データの中で無線部１９が復調した画像データを、制御部１１を介してメモリ１２に記憶させる。また、通信制御部１８は、受信データの中で文字データなどを制御部１１の指示に基づき、メモリ１２へ送る。
【００５１】
図３は制御部１１が備える、表示部１４の表示を制御する画像表示制御手段１１１について説明する概略機能ブロック図である。図３に示すように、画像表示制御手段１１１は特定映像指定手段１１２、比較撮影映像特定手段１１３、特定被写体変位判定手段１１４、表示状態切替手段１１５、表示状態切替禁止手段１１６を備えている。
【００５２】
画像表示制御手段１１１が備える特定映像指定手段１１２は、特定映像指定受付手段１１２１、映像登録手段１１２２を備えている。使用者は、撮影部１７が撮影した撮影映像の１つを特定被写体、すなわち特定映像として指定する。使用者は、操作部１５の所定のキーを操作することにより使用者が撮影した撮影映像の１つを特定映像として指定する。この使用者による特定映像指定を受付けるのが特定映像指定受付手段１１２１であり、この受付信号を受け撮影映像の１つを特定映像として登録するのが映像登録手段１１２２である。
【００５３】
使用者は通常、携帯電話機１を手に持ち操作部１５を操作し、表示部１４を閲覧する。撮影部１７は図１に示すように表示部１４のすぐ上方に設置され、その撮影方向は表示部１４を閲覧する使用者の方向である。携帯電話機１を手に持ち撮影モードにすると、使用者の顔面が撮影されることになる。そこで、特定被写体、すなわち特定映像としては通常、使用者の顔面が登録される。
【００５４】
特定被写体変位判定手段１１４は、比較撮影映像特定手段１１３が特定する比較撮影映像がこの特定映像の撮影位置からどの方向にどれだけの角度変位した位置から撮影されたものかを判定する。比較撮影映像特定手段１１３が特定する比較撮影映像の撮影位置は特定映像の撮影位置からどの方向にどれだけの角度変位しているかを判定するものであるから、比較撮影映像は特定映像と同じ被写体、すなわち使用者の顔面の撮影映像であることが求められる。
【００５５】
画像表示制御手段１１１が備える比較撮影映像特定手段１１３は、撮影映像判定手段１１３１、撮影映像停止状態判定手段１１３２を備えている。撮影映像判定手段１１３１は撮影部１７が撮影する画像が使用者が指定し登録された特定映像と同じ被写体であるか否かを判定する。撮影映像停止状態判定手段１１３２は、撮影部１７が撮影する画像の動きが所定時間（たとえば０．５秒間）以上略停止状態、すなわち、停止状態と看做される状態にあるか否かを判定する。
【００５６】
ここで大事なことを説明する。通常、撮影部１７が画像を撮影する際は、撮影モードを起動させておいて、図１に示すカメラキー１５２を押下げて撮影する。しかし、この撮影映像判定手段１１３１が判定の対象とする、撮影部１７による撮影映像とは、カメラキー１５２を押下げて撮影された撮影映像ではない。撮影モードが起動されているために、撮影部１７が撮影している映像である。したがって撮影映像停止状態判定手段１１３２が、撮影部１７が撮影する映像の動きが所定時間（たとえば０．５秒間）以上略停止状態となったか否かを判定するのである。第１、いちいちカメラキー１５２を押下げて撮影するのであれば、直接、センターキー１５１や、戻しキー１５７を押下げる方が確実であり、これでは操作性が向上しない。
【００５７】
撮影部１７が撮影した映像が使用者が指定し登録された特定映像と同じ被写体であると撮影映像判定手段１１３１が判定し、且つ、その撮影した映像の動きが所定時間以上略停止状態にあると撮影映像停止状態判定手段１１３２が判定した撮影映像を比較撮影映像特定手段１１３は比較撮影映像として特定する。
【００５８】
比較撮影映像特定手段１１３が比較撮影映像として特定した撮影映像は、一時的にメモリ（ＲＡＭ）に記憶される。特定映像と比較し、所定方向（たとえば右方向）に、所定角度（たとえば３０°）以上変位した位置から撮影した撮影映像であるか否かを特定被写体変位判定手段１１４が判定するためである。
【００５９】
略停止状態としたのは、なにしろ使用者が手に持った携帯電話機１を振り回す（変位させる）ものであるから、微動だにしない完全な停止状態とするのは無理であり、多少の動きは略停止と看做す趣旨である。なお、撮影映像が比較撮影映像として特定されても、特定被写体（使用者の顔面）を撮影する携帯電話機１が所定方向（たとえば右方向）に、所定角度（たとえば３０°）以上変位した位置から撮影した撮影映像でなければ、特定被写体変位判定手段１１４が所定の変位を認定しないため、表示状態切替手段１１５が機能することはない。
【００６０】
通常、使用者は携帯電話機１の表示部１４を正面から見て使用する。したがって比較撮影映像特定手段１１３が比較撮影映像として特定する、所定時間以上略停止状態にある撮影映像の大半は、特定映像と比較し、所定方向（たとえば右方向）に、所定角度（たとえば３０°）以上変位した位置から撮影した撮影映像にはなり得ない。使用者が表示状態切替手段１１５を作動させようとするときにだけ、特定映像と比較し、所定方向（たとえば右方向）に、所定角度（たとえば３０°）以上変位した位置から撮影した撮影映像を比較撮影映像として特定するために、たとえば、携帯電話機１の撮影部１７の撮影方向を使用者の顔面右側面からとして所定時間（たとえば０．５秒間）以上略停止状態にして使用者の顔面右側面を撮影することになる。
【００６１】
画像表示制御手段１１１が備える比較撮影映像特定手段１１３により特定される比較撮影映像が特定映像から所定方向に所定角度以上変位した位置から撮影されていると、画像表示制御手段１１１が備える特定被写体変位判定手段１１４により特定被写体（比較撮影映像）の所定の変位（撮影位置変動）を検知されたと判定されたときに動作し、画像データを表示部１４に表示している状態から他の画像データを表示部１４に表示している状態に切替えるのが表示状態切替手段１１５であり、画像表示制御手段１１１に備えられている。
【００６２】
使用者が意図しない、表示状態切替手段１１５による表示状態切替動作の発生、表示状態切替動作の誤動作を防止することを目的として、画像表示制御手段１１１は、表示状態切替手段１１５の表示状態切替動作を使用者の操作により禁止する表示状態切替禁止手段１１６を備えている。表示状態切替禁止手段１１６はさらに、表示状態切替動作禁止指定を受付ける切替禁止指定受付手段１１６１と、表示状態切替手段１１５の表示状態切替動作が禁止されていないかを確認する切替禁止確認手段１１６２とを備えている。
【００６３】
使用者が表示状態切替の禁止を指定するためには、操作部１５にて所定の操作、たとえば、特定のキーを押下げるなどの操作を行なう。この所定の操作が為されたとき、制御部１１は切替禁止指定受付手段１１６１で受付け、表示状態切替手段１１５の表示状態切替動作を禁止する。切替禁止確認手段１１６２は、表示状態切替手段１１５による表示状態切替が作動する条件を満たしたとき、表示状態切替手段１１５の表示状態切替動作が禁止されていないかを確認する。表示状態切替動作が禁止されていないことを確認後に、表示状態切替手段１１５の表示状態切替動作を行なう（第１画像表示状態から第２画像表示状態に切替える。）。
【００６４】
使用者が表示状態切替の禁止指定を解除するためには、操作部１５にて所定の解除操作、たとえば、特定の解除キーを押下げるなどの操作を行なう。制御部１１は所定の解除操作が為されたことを検知する所定解除操作検知手段を備えている。所定解除操作検知手段が所定の操作を検知したとき、切替禁止指定受付手段１１６１が使用者による表示状態切替の禁止指定を解除し、表示状態切替動作禁止を解除する。
【００６５】
表示状態切替の禁止指定のための特定のキー、表示状態切替の禁止指定解除のための特定の解除キーは、それぞれ別の特定キーとしてもよいが、同じ特定キーを用いて表示状態切替の禁止をしていないときに、その特定キーを押下げると表示状態切替の禁止指定操作となり、表示状態切替の禁止をしているときに、その特定キーを押下げると表示状態切替の禁止の指定解除操作となるようにしてもよい。
【００６６】
なお、第１実施形態では、切替禁止指定受付手段１１６１、切替禁止確認手段１１６２を備えているが、これらは使用者が意図しない表示状態切替動作の発生、表示状態切替動作の誤動作を防止することを目的とするものであるから、必ずしも備える必要はない。
【００６７】
第１実施形態では、特定被写体変位判定手段１１４が特定被写体（比較撮影映像）の所定の変位（撮影位置変動）を検知したと判定したときに、表示状態切替手段１１５を動作させるのを通常とし、例外的に表示状態切替手段１１５を動作させない場合を表示状態切替禁止手段１１６により行なうこととしている。しかし、表示状態切替手段１１５を動作させる場合をＯＮ動作（ＯＮモード）とし、動作させない場合をＯＦＦ動作（ＯＦＦモード）として、使用者の操作部１５の操作信号に従い、画像表示制御手段１１１に対し、ＯＮ動作の信号、あるいは、ＯＦＦ動作の信号を送り、そのことで、表示部１４が、所望のタイミングでＯＮモード、ＯＦＦモードを切替えることができるようにしてもよい。
【００６８】
特定被写体変位判定手段１１４は、方向変位検出手段１１４１、角度変位検出手段１１４２、方向判定手段１１４３、角度判定手段１１４４を備えている。方向変位検出手段１１４１は、比較撮影映像特定手段１１３が特定する比較撮影映像が映像登録手段１１２２が登録した特定映像に対して、その撮影位置がどの方向に変位しているかを検出する手段である。角度変位検出手段１１４２は、比較撮影映像が特定映像に対して、その撮影位置の変位している角度を検出する手段である。方向判定手段１１４３は、方向変位検出手段１１４１が検出した比較撮影映像の特定映像に対する撮影位置の変位方向が予め定められた方向に変位しているか否かを判定する手段である。角度判定手段１１４４は、角度変位検出手段１１４２が検出した比較撮影映像の特定映像に対する撮影位置の変位角度が予め定められた角度以上変位しているか否かを判定する手段である。
【００６９】
特定被写体変位判定手段１１４は、方向判定手段１１４３が比較撮影映像の特定映像に対する撮影位置の変位方向が予め定められた方向に変位していると判定し、かつ、角度判定手段１１４４が比較撮影映像の特定映像に対する撮影位置の変位角度が予め定められた角度以上変位していると判定したときに、表示状態切替手段１１５を動作させる条件が成立したと判定する。但し、使用者の操作により表示状態切替手段１１５の表示状態切替動作が禁止されていると切替禁止確認手段１１６２が確認した場合は除かれる。
【００７０】
上記説明では、撮影部１７が撮影した映像が使用者が指定し登録された特定映像と同じ被写体であると撮影映像判定手段１１３１が判定し、且つ、その撮影した映像の動きが所定時間以上略停止状態にあると撮影映像停止状態判定手段１１３２が判定した撮影映像を比較撮影映像特定手段１１３は比較撮影映像として特定する場合であった。
【００７１】
しかし通常、使用者は携帯電話機１の表示部１４を正面から見て使用するため、実際には、使用者が表示状態切替手段１１５を作動させようとする対象にはなり得ない多くの撮影映像を比較撮影映像として特定することになる。
【００７２】
この欠点を補うために、上記説明の比較撮影映像特定手段１１３の変形例として、撮影部１７が撮影した映像が使用者が指定し登録された特定映像と同じ被写体であると撮影映像判定手段１１３１が判定し、且つ、その撮影した映像の動きが所定時間以上略停止状態にあると撮影映像停止状態判定手段１１３２が判定した撮影映像のうち、さらに、特定被写体変位判定手段１１４の方向変位検出手段１１４１、角度変位検出手段１１４２がそれぞれ特定映像に対して、所定方向に、所定角度以上その撮影位置が変位していると検出した撮影映像を比較撮影映像として特定することにしてもよい。
【００７３】
また、上記説明の比較撮影映像特定手段１１３の変形例として、撮影部１７が撮影した撮影映像の１つを使用者が比較撮影映像として設定することにしてもよい。この場合携帯電話機１は、使用者による比較撮影映像指定を受付ける比較撮影映像指定受付手段を備え、比較撮影映像指定受付手段が受付けた撮影映像を比較撮影映像特定手段１１３は比較撮影映像と認定することになる。この場合は、撮影映像の動きが所定時間（たとえば０．５秒間）以上を略停止状態にあると判定した撮影映像を自動的に比較撮影映像と認定する場合より、利便性は多少犠牲にせざるを得ない。
【００７４】
しかし、比較撮影映像の撮影位置が特定映像の撮影位置からどの方向にどれだけの角度変位しているかを判定するのに好都合な撮影映像を比較撮影映像として使用者が認定できるという利点がある。また、使用者が意図しないのに、使用者が携帯電話機１を持った手を不用意に動かすことによる表示状態切替動作の誤動作、撮影部１７により複数の顔（特定映像と同種の複数の被撮影対象物）が撮影されるような場所においての表示状態切替動作の誤動作を防止することができる。
【００７５】
たとえば、携帯電話機１が備える操作キーの１つを比較撮影映像指定受付手段の受付キーとしておけば、使用者が表示状態切替手段１１５を機能させたいときには、携帯電話機１を持った手を所定方向に所定角度以上動かし、この受付キーを押せばよい。なお、受付キーは特別に設ける必要はなく、いずれかの操作キーを兼用できる。たとえば、多機能型の携帯電話機１において、表示状態切替手段１１５を使用する特定の機能を起動させているときには、ある特定の操作キーを受付キーとするなどである。
【００７６】
この比較撮影映像指定受付手段を設ける比較撮影映像特定手段１１３の場合は、使用者が撮影部１７により撮影した撮影映像の１つを比較撮影映像として設定しなければ、比較撮影映像指定受付手段が使用者による比較撮影映像指定を受付けないため、先に説明した表示状態切替禁止手段１１６や、表示状態切替手段１１５を動作させる場合のＯＮ動作、動作させない場合のＯＦＦ動作の切替操作を備えずとも、表示状態切替手段１１５による表示状態切替機能を所望のタイミングでＯＮ、ＯＦＦできるという利点も生じる。
【００７７】
次に特定被写体変位判定手段１１４が特定被写体の撮影位置の変位を判定する動作、すなわち、方向変位検出手段１１４１が如何にして変位方向を検出し、角度変位検出手段１１４２が如何にして変位角度を検出するかを図４〜図７を参照しながら以下に説明する。図４は使用者７が右手８に持った携帯電話機１を右方向に角度θ°振り回す（変位させる）状況を使用者７の真上から見た概略上面図である。図５は、図４において携帯電話機１の撮影部１７が使用者７の顔面部を１（Ａ）の位置において撮影した特定映像である。図６は、図４において携帯電話機１の撮影部１７が使用者７の顔面部を１（Ｂ）の位置において撮影した比較撮影映像である。図７は、図４において携帯電話機１の撮影部１７が使用者７の顔面部を真横の側面位置において撮影した比較撮影映像であり、図４のθが９０°の場合である。
【００７８】
撮影部１７が表示部１４の上端近傍に位置し、表示部１４を閲覧する使用者７の方向を撮影部１７の撮影方向とするため、使用者７が携帯電話機１を手に持って、携帯電話機１の表示部１４を閲覧すれば、自ずと携帯電話機１の撮影部１７が使用者７の顔面部を撮影することになる。使用者７がたとえば、携帯電話機１を右手に持って、携帯電話機１の表示部１４を使用者７に向けて、すなわち、使用者７の方向を撮影部１７の撮影方向として、右方向に振れば、使用者７の位置を中心とし、携帯電話機１を持った右手の位置を半径とする円弧を描いて右方向に携帯電話機１は変位する。このため携帯電話機１の撮影部１７が使用者７の顔面部の右側斜め部を撮影することになる（図６）。
【００７９】
使用者７の正面となる右手の位置（図４の１（Ａ）の位置）から撮影部１７が撮影した使用者７の顔面正面部の撮影映像（図５）を特定映像として予め登録しておいたものとする。今、使用者７が携帯電話機１を右手に持って、使用者７の方向を撮影部１７の撮影方向として、右方向に振ったと仮定する。そして使用者７の右方向の右手の位置（図４の１（Ｂ）の位置）から撮影部１７が撮影した使用者７の顔面右側斜め前からの撮影映像（図６）が比較撮影映像として特定されたと仮定する。この場合方向変位検出手段１１４１と角度変位検出手段１１４２とは、図５に示す特定映像と図６に示す比較撮影映像とから、比較撮影映像の撮影位置の変位方向と変位角度とを検出することになる。以下、この変位方向と変位角度との検出手法について簡単に説明する。
【００８０】
方向変位検出手段１１４１と角度変位検出手段１１４２とは、図５の特定映像の顔面正面部の両眼の鼻からそれぞれ遠ざかる方向の外方端部（目尻）をそれぞれ基準点１（右目尻部）、基準点２（左目尻部）に指定し登録したとする。ここで図５、図６の被写体頭部顔面の横幅方向の中心位置は表示部１４の横幅の中心位置にそれぞれ表示され、頭部頂点から顎部までの被写体頭部顔面の上下高さも図５、図６で同じ上下高さとなり、被写体頭部顔面の上下方向の中心位置は表示部１４の上下方向の中心位置にそれぞれ表示されるように補正して表示される。以下はこの補正表示された図５、図６における説明である。
【００８１】
特定映像（顔面正面部の撮影映像、図５）と比較撮影映像（顔面右側部の撮影映像、図６）とを対比させたとき、表示部１４の横幅の中心位置に対する特定映像の基準点１、２の位置が比較撮影映像では、特定映像よりいずれも右方向に変位していれば携帯電話機１が右方向にある角度変位したことが判明する。すなわち、携帯電話機１を手に持って、使用者７の方向を撮影部１７の撮影方向となるように携帯電話機１の表示部１４を使用者７に向けて、右方向にある角度振られたことが判明する。また図７を比較撮影映像とすれば、この比較撮影映像では基準点１は存在するが、基準点２が存在しないことから、右方向に変位した角度が図６の比較撮影映像よりも大きいことが判明する。
【００８２】
さらに、基準点１、２間の距離が比較撮影映像では特定映像より短くなっていれば、ある角度変位したことが判明する。このように比較撮影映像が特定映像に比べ、基準点１、２がいずれの方向に変位しているか、距離基準点１、２間の距離がどの程度短くなっているかにより、携帯電話機１の変位方向、変位角度θ°が検出される。
【００８３】
なお、上記の比較撮影映像と特定映像との比較により、携帯電話機１の変位方向、変位角度を検出するに際して、比較撮影映像と特定映像とに撮影されている使用者７の被写体頭部顔面の大きさが異なれば、距離基準点１、２間の距離など誤差が生じ、正確な判定ができなくなる。このため、上記のような補正表示画面を用いて変位方向、変位角度θ°を検出している。
【００８４】
第１実施形態においては、携帯電話機１を右手に持って振っているため、使用者７と携帯電話機１との距離はほぼ同一となる。携帯電話機１を持つ右手の位置が変わらないようにすること、比較撮影映像と特定映像とに撮影されている使用者７の顔部が撮影映像の中心位置にくるように留意することなど、多少の注意を払うことにより、上記補正を省いたり、簡易化することも可能である。
【００８５】
変位方向、変位角度θ°の検出手法を解りやすく説明するため、上記のような補正表示画面を用いるとしたが、何も実際に補正画面を表示せずとも、基準点１、２を指定さえすれば、携帯電話機１が備えるコンピュータが演算することにより、距離を換算して変位方向、変位角度θ°を検出することも可能である。この場合、図５、図６の被写体頭部顔面の頭部頂点から顎部までの被写体頭部顔面の上下高さを特定映像（図５）と比較撮影映像（図６）とで同じ上下高さとなるようにして特定映像と比較撮影映像との距離を換算する。
【００８６】
携帯電話機１を右方向に角度θ°変位させたことを方向変位検出手段１１４１と角度変位検出手段１１４２とにより検出されたことを受けて、方向判定手段１１４３と角度判定手段１１４４は携帯電話機１を右方向に所定角度（たとえば３０°）以上変位させたか否かを判定する。このように方向変位検出手段１１４１、角度変位検出手段１１４２、方向判定手段１１４３、角度判定手段１１４４を有効に機能させることができる。
【００８７】
特定被写体変位判定手段１１４が特定被写体の所定の変位（撮影位置変動）を検知したと判定したときに、表示状態切替手段１１５が動作し、表示部１４の表示状態を第１画像表示状態から第２画像表示状態に切替える。
【００８８】
上記説明のように携帯電話機１を右手に持って、使用者７の方向を撮影部１７の撮影方向となるように携帯電話機１の表示部１４を使用者７に向けて、右方向に振る代わりに、携帯電話機１を右手に持って、携帯電話機１の表示部１４を使用者７に向けたままで、使用者７が左方向に向きを変えても同様である。
【００８９】
現在では、画像認識技術は相当に進歩している。上記説明とは別に、これらの公知技術を応用して特定被写体変位判定手段１１４が特定被写体の変位（撮影位置変動）を判定することもできる。
【００９０】
上記説明では、携帯電話機１を右手に持って右方向に振って表示状態切替手段１１５を機能させる場合について説明したが、携帯電話機１を手に持ち、左右方向のみならず、上下方向に振って表示状態切替手段１１５を機能させてもよい。
【００９１】
上記において、特定映像指定手段１１２、比較撮影映像特定手段１１３、特定被写体変位判定手段１１４、表示状態切替禁止手段１１６を表示部１４の表示を制御する画像表示制御手段１１１に備えていると説明している。しかし、画像表示制御手段１１１に備える代わりに、制御部１１などに備えることにしてもよい。
【００９２】
次に図８から図１３を用いて第１実施形態の携帯電話機１の電子メールデータ閲覧画面における表示状態切替手段１１５を用いた表示状態切替方法を説明するためのフローチャートを説明する。なお、以下では、電子メールモードの受信メールに関して説明するが、送信メールに関しても同様である。また、図８から図１３で説明するフローチャートにおいては、撮影手段を用いる撮影機能は既に起動されていることを前提として説明する。なお、表示状態切替１、表示状態切替２が作動すると判定されたときの表示状態の切替として表示画面の切替を例示し説明する。
【００９３】
最初に図８から図１１を用いて表示状態切替手段１１５を用いた表示切替方法のフローチャートを説明する。
【００９４】
図８のステップＳ４１（以下ステップを略し、単にＳ○○と記載する。）にて、使用者がメールモードを起動すると、Ｓ４２にて、図１４に例示する受信メール一覧画面が携帯電話機１の表示部１４に表示される。Ｓ４３にて、使用者が携帯電話機１の操作部１５の十字キー１５５の上下方向のキーを操作して受信メール一覧より、１つの受信メールを選択したか否かが判断される。
【００９５】
Ｓ４３にて、受信メール一覧より１つの受信メールが選択されたと判断されると、Ｓ４４で表示状態切替１作動判定処理のサブルーチンが実行される。この表示状態切替１作動判定処理のサブルーチンについては図１２（Ａ）を用いて後に説明する。表示状態切替１を作動させると判定されたときには、表示状態切替１作動フラグがセットされている（図１２（Ａ）のＳ７）。Ｓ４４ａで表示状態切替１作動フラグがセットされているか否かが判断される。
【００９６】
Ｓ４４ａで表示状態切替１作動フラグがセットされていると判断されたときは、Ｓ４４ｂで表示状態切替１作動フラグをリセットし、受信メール一覧より選択された１つの受信メールが確定する。そして、この選択が確定した受信メール本文を表示すべく、Ｓ４６で
受信メール本文表示処理のサブルーチンが実行される。この受信メール本文表示処理のサブルーチンについては図１３を用いて後に説明する。この受信メール本文表示処理の実行により図１５に例示する選択された閲覧受信メール本文データ１頁目が表示部１４に表示される（図１３のＳ２１）。Ｓ４４ａで表示状態切替１作動フラグがセットされていないと判断されても、Ｓ４５で使用者によりセンターキー１５１が押下げられたと判定されると、Ｓ４６に進み、受信メール本文表示処理のサブルーチンが実行される。
【００９７】
Ｓ４４ａで表示状態切替１作動フラグがセットされていないと判断され、且つ、Ｓ４５でセンターキー１５１が押下げられなかったと判断されたときは、Ｓ４４の表示状態切替１作動判定処理のサブルーチン実行に戻り、受信メール一覧画面で１つの受信メールを選択された状態にて、表示状態切替１作動フラグのセットか、センターキー１５１の押下げを待つ状態となる。
【００９８】
次に受信メール本文表示処理のサブルーチンが終了した状態（閲覧受信メール本文データ表示状態）で、Ｓ４７に進み、表示状態切替１作動判定処理のサブルーチンが実行される。Ｓ４７ａで表示状態切替１作動フラグがセットされていると判定されるとＳ４７ｂで表示状態切替１作動フラグをリセットし、選択された受信メール本文の表示が確定する。そしてＳ５１に進み、選択された閲覧受信メールに添付ファイルが存在するか否か判定される。Ｓ４７ａで表示状態切替１作動フラグがセットされていないと判定されても、Ｓ４８で使用者によりセンターキー１５１が押下げられたと判定されると、Ｓ５１に進む。Ｓ４８で使用者によりセンターキー１５１が押下げられなかったと判定されたときは、Ｓ４９に進み、表示状態切替２作動判定処理のサブルーチンが実行される。この表示状態切替２作動判定処理のサブルーチンについては図１２（Ｂ）を用いて後に説明する。
【００９９】
Ｓ４９ａで表示状態切替２作動フラグがセットされていると判断されたときは、Ｓ４９ｂで表示状態切替２作動フラグをリセットし、Ｓ４２の受信メール一覧の画面表示に戻される。Ｓ４９ａで表示状態切替２作動フラグがセットされていないと判断されても、Ｓ５０で使用者により戻しキー１５７が押下げられたと判定されると、Ｓ４２の受信メール一覧の画面表示に戻される。Ｓ５０で戻しキー１５７が押下げられなかったと判定されたときは、Ｓ４７の表示状態切替１作動判定処理のサブルーチン実行に戻る。
【０１００】
Ｓ５１で選択された閲覧受信メールにファイルが添付されていると判定されたときは、Ｓ５２で、受信メールに添付された、図１７に例示する添付ファイルが表示部１４に表示される。
【０１０１】
このように表示状態切替１作動と判定されたときに、表示部１４に表示している選択された閲覧受信メール本文データに、添付されている添付データが存在するか否かを検出し、添付データの存在を検出したときに、表示部１４に表示している選択された受信メールの本文データをこの検出した添付データの画像データに切替えて表示する。
【０１０２】
次に添付ファイルが表示部１４に表示された状態で、Ｓ５３に進み、表示状態切替１作動判定処理のサブルーチンが実行される。Ｓ５３ａで表示状態切替１作動フラグがセットされていると判定されるとＳ５３ｂで表示状態切替１作動フラグをリセットし、添付ファイルの表示が確定する。そしてＳ５７に進み、閲覧受信メールに返信するか否かが判定される。Ｓ５３ａで表示状態切替１作動フラグがセットされていないと判定されても、Ｓ５４で使用者によりセンターキー１５１が押下げられたと判定されると、Ｓ５７に進む。Ｓ５４で使用者によりセンターキー１５１が押下げられなかったと判定されたときは、Ｓ５５に進み、表示状態切替２作動判定処理のサブルーチンが実行される。
【０１０３】
Ｓ５５ａで表示状態切替２作動フラグがセットされていると判断されたときは、Ｓ５５ｂで表示状態切替２作動フラグをリセットし、Ｓ４６の受信メール本文表示処理のサブルーチン実行に戻される。Ｓ５５ａで表示状態切替２作動フラグがセットされていないと判断されても、Ｓ５６で使用者により戻しキー１５７が押下げられたと判定されると、Ｓ４６の受信メール本文表示処理のサブルーチン実行に戻される。Ｓ５６で戻しキー１５７が押下げられなかったと判定されたときは、Ｓ５３の表示状態切替１作動判定処理のサブルーチン実行に戻る。
【０１０４】
Ｓ５７で返信メールを送付する旨の操作が使用者により為されると判定されたときは、Ｓ５８で新規メール作成モードが起動され、Ｓ５９で図１８に例示する新規メール作成画面が表示部１４に表示される。Ｓ５７で、閲覧受信メールに返信メールを送付する旨の操作が使用者により為されなかったと判定されたときは、Ｓ４２の受信メール一覧画面の表示に戻る。
【０１０５】
Ｓ５９の新規メール作成画面が表示部１４に表示された状態で、Ｓ６０に進み、表示状態切替１作動判定処理のサブルーチンが実行される。Ｓ６０ａで表示状態切替１作動フラグがセットされていると判定されるとＳ６０ｂで表示状態切替１作動フラグをリセットし、新規メール作成が確定する。そしてＳ６４に進み、宛先を編集するか否かが判定される。Ｓ６０ａで表示状態切替１作動フラグがセットされていないと判定されても、Ｓ６１で使用者によりセンターキー１５１が押下げられたと判定されると、Ｓ６４に進む。Ｓ６１で使用者によりセンターキー１５１が押下げられなかったと判定されたときは、Ｓ６２に進み、表示状態切替２作動判定処理のサブルーチンが実行される。
【０１０６】
Ｓ６２ａで表示状態切替２作動フラグがセットされていると判断されたときは、Ｓ６２ｂで表示状態切替２作動フラグをリセットし、Ｓ５７の閲覧受信メールに返信するか否かの判定に戻される。Ｓ６２ａで表示状態切替２作動フラグがセットされていないと判断されても、Ｓ６３で使用者により戻しキー１５７が押下げられたと判定されると、Ｓ５７の閲覧受信メールに返信するか否かの判定に戻される。Ｓ６３で戻しキー１５７が押下げられなかったと判定されたときは、Ｓ６０の表示状態切替１作動判定処理のサブルーチン実行に戻る。
【０１０７】
次にＳ６４で宛先を編集する操作が使用者により為されると判定されたら、Ｓ６５で、図１９に例示する宛先編集画面が表示部１４に表示され、Ｓ６６で使用者は宛先を編集する操作を行なえる。Ｓ６４で宛先を編集する操作が使用者により為されないと判定されたら、Ｓ７１に進み、件名を編集する操作が使用者により為されるか否かが判定される。
【０１０８】
Ｓ６６での使用者による宛先編集操作が終了し、Ｓ６７に進み、表示状態切替１作動判定処理のサブルーチンが実行される。Ｓ６７ａで表示状態切替１作動フラグがセットされていると判定されるとＳ６７ｂで表示状態切替１作動フラグをリセットし、宛先編集操作が確定する。そしてＳ７１に進む。Ｓ６７ａで表示状態切替１作動フラグがセットされていないと判定されても、Ｓ６８で使用者によりセンターキー１５１が押下げられたと判定されると、Ｓ７１に進む。Ｓ６８で使用者によりセンターキー１５１が押下げられなかったと判定されたときは、Ｓ６９に進み、表示状態切替２作動判定処理のサブルーチンが実行される。
【０１０９】
Ｓ６９ａで表示状態切替２作動フラグがセットされていると判断されたときは、Ｓ６９ｂで表示状態切替２作動フラグをリセットし、Ｓ６４の宛先を編集するか否かの判定に戻される。Ｓ６９ａで表示状態切替２作動フラグがセットされていないと判断されても、Ｓ７０で使用者により戻しキー１５７が押下げられたと判定されると、Ｓ６４の宛先を編集するか否かの判定に戻される。Ｓ７０で戻しキー１５７が押下げられなかったと判定されたときは、Ｓ６７の表示状態切替１作動判定処理のサブルーチン実行に戻る。
【０１１０】
次にＳ７１で件名を編集する操作が使用者により為されると判定されたら、Ｓ７２で、図２０に例示する件名編集画面が表示部１４に表示され、Ｓ７３で使用者は件名を編集する操作を行なえる。Ｓ７１で、件名を編集する操作が使用者により為されないと判定されたら、件名編集操作の終了が確定し、Ｓ７８に進みメール本文を編集する操作が使用者により為されるか否かが判定される。
【０１１１】
Ｓ７３での使用者による件名編集操作が終了し、Ｓ７４に進み、表示状態切替１作動判定処理のサブルーチンが実行される。Ｓ７４ａで表示状態切替１作動フラグがセットされていると判定されるとＳ７４ｂで表示状態切替１作動フラグをリセットし、件名編集操作が確定する。そしてＳ７８に進む。Ｓ７４ａで表示状態切替１作動フラグがセットされていないと判定されても、Ｓ７５で使用者によりセンターキー１５１が押下げられたと判定されると、Ｓ７８に進む。Ｓ７５で使用者によりセンターキー１５１が押下げられなかったと判定されたときは、Ｓ７６に進み、表示状態切替２作動判定処理のサブルーチンが実行される。
【０１１２】
Ｓ７６ａで表示状態切替２作動フラグがセットされていると判断されたときは、Ｓ７６ｂで表示状態切替２作動フラグをリセットし、Ｓ７１の件名を編集するか否かの判定に戻される。Ｓ７６ａで表示状態切替２作動フラグがセットされていないと判断されても、Ｓ７７で使用者により戻しキー１５７が押下げられたと判定されると、Ｓ７１の件名を編集するか否かの判定に戻される。Ｓ７７で戻しキー１５７が押下げられなかったと判定されたときは、Ｓ７４の表示状態切替１作動判定処理のサブルーチン実行に戻る。
【０１１３】
Ｓ７８でメール本文を編集する操作が使用者により為されると判定されたら、Ｓ７９で、図２１に例示するメール本文編集画面が表示部１４に表示され、Ｓ８０で使用者はメール本文を編集する操作を行なえる。Ｓ７８でメール本文を編集する操作が使用者により為されないと判定されたら、Ｓ８５に進み、返信する新規メールにファイルを添付するか否かが判定される。
【０１１４】
Ｓ８０での使用者によるメール本文編集操作が終了し、Ｓ８１に進み、表示状態切替１作動判定処理のサブルーチンが実行される。Ｓ８１ａで表示状態切替１作動フラグがセットされていると判定されるとＳ８１ｂで表示状態切替１作動フラグをリセットし、メール本文編集操作が確定する。そしてＳ８５に進む。Ｓ８５では作成したメールを送信するか否かが判定される。Ｓ８１ａで表示状態切替１作動フラグがセットされていないと判定されても、Ｓ８２で使用者によりセンターキー１５１が押下げられたと判定されると、Ｓ８５に進む。Ｓ８２で使用者によりセンターキー１５１が押下げられなかったと判定されたときは、Ｓ８３に進み、表示状態切替２作動判定処理のサブルーチンが実行される。
【０１１５】
Ｓ８３ａで表示状態切替２作動フラグがセットされていると判断されたときは、Ｓ８３ｂで表示状態切替２作動フラグをリセットし、Ｓ７８のメール本文を編集するか否かの判定に戻される。Ｓ８３ａで表示状態切替２作動フラグがセットされていないと判断されても、Ｓ８４で使用者により戻しキー１５７が押下げられたと判定されると、Ｓ７８のメール本文を編集するか否かの判定に戻される。Ｓ８４で戻しキー１５７が押下げられなかったと判定されたときは、Ｓ８１の表示状態切替１作動判定処理のサブルーチン実行に戻る。
【０１１６】
ここで、使用者が表示部１４に表示された表示画面を見ながら操作部１５（画像編集操作手段）を操作してメール本文の編集（Ｓ８０）などの所定の操作を行なっているときには、表示状態を切替える機能が自動的に禁止される。たとえば、使用者による宛先編集操作中（Ｓ６６）、使用者による件名編集操作中（Ｓ７３）、使用者によるメール本文編集操作中（Ｓ８０）には、表示状態切替手段１１５による表示状態切替動作が自動的に禁止される。このように使用者は編集処理中以外の所望のタイミングで画面を、選択受信データの本文データや添付ファイルの表示に切替えることができる。使用者が電子機器の向きを不用意に動かしても、表示状態切替手段１１５が動作することなく、使用者の意図しない誤操作を防ぐためである。
【０１１７】
ここでは使用者が表示部１４に表示された表示画面を見ながら操作部１５（画像編集操作手段）を操作してメール本文の編集などの所定の操作を行なっているときに表示状態を切替える機能が自動的に禁止される場合について説明した。しかし、メール本文の編集に限ることなく、使用者が操作部１５により予め特定された操作を行なっているときには、表示状態を切替える機能が自動的に禁止されるように応用できる。
【０１１８】
このためには、表示状態切替手段１１５の表示状態切替動作を禁止する所定の操作を予め設定する表示状態切替禁止操作設定手段と、設定された表示状態切替禁止操作が為されているか否かを検知する禁止所定操作検知手段とを画像表示制御手段１１１に備えることが必要になる。
【０１１９】
この画像編集操作中の表示状態切替手段１１５の表示状態切替動作を禁止するために、表示部１４に表示する画像の内容を編集する画像編集操作手段と、画像編集操作手段が操作中か否かを検知する画像編集操作検知手段と、画像編集操作検知手段が操作中であると検知したときは、画像編集操作検知手段が操作終了を検知するまで、表示状態切替手段１１５の表示状態切替動作を禁止する表示状態切替禁止手段とを備えている。
【０１２０】
次に図１１のＳ８５でファイルを添付する操作が使用者により為されると判定されたら、Ｓ８６で、使用者は図１７に例示する添付ファイルを添付する操作を行なえる。Ｓ８６で添付ファイルを添付する操作を終了させた後、Ｓ８７に進み、表示状態切替１作動判定処理のサブルーチンが実行される。Ｓ８７ａで表示状態切替１作動フラグがセットされていると判定されるとＳ８７ｂで表示状態切替１作動フラグをリセットし、ファイル添付操作が確定する。そしてＳ９１に進む。Ｓ８７ａで表示状態切替１作動フラグがセットされていないと判定されても、Ｓ８８で使用者によりセンターキー１５１が押下げられたと判定されると、Ｓ９１に進む。Ｓ８８で使用者によりセンターキー１５１が押下げられなかったと判定されたときは、Ｓ８９に進み、表示状態切替２作動判定処理のサブルーチンが実行される。
【０１２１】
Ｓ８９ａで表示状態切替２作動フラグがセットされていると判断されたときは、Ｓ８９ｂで表示状態切替２作動フラグをリセットし、Ｓ８５のファイルを添付するか否かの判定に戻される。Ｓ８９ａで表示状態切替２作動フラグがセットされていないと判断されても、Ｓ９０で使用者により戻しキー１５７が押下げられたと判定されると、Ｓ８５のファイルを添付するか否かの判定に戻される。Ｓ９０で戻しキー１５７が押下げられなかったと判定されたときは、Ｓ８７の表示状態切替１作動判定処理のサブルーチン実行に戻る。
【０１２２】
次にＳ９１で作成したメールを送信する操作が使用者により為されると判定されたら、Ｓ９２で、使用者はメールを送信処理する操作を行なえる。Ｓ９１で作成したメールを送信しないと判定され、Ｓ９３で作成したメールを保存する操作が使用者により為されると判定されたら、Ｓ９４で、使用者は作成したメールを保存処理する操作を行なえる。Ｓ９３で作成したメールを保存もしないと判定され、Ｓ９５でメールモードを終了する操作が使用者により為されると判定されたら、Ｓ９６で、使用者はメールモードを終了する操作を行なえる。Ｓ９５でメールモードを終了する操作が使用者により為されないと判定されたら、Ｓ４２の受信メール一覧画面の表示に戻る。
【０１２３】
上記のように、新規メール作成モードでは、使用者は、表示部１４の表示に従って操作部１５を操作することにより、宛先、件名、本文の編集、及びファイルの添付を行なうことができる（Ｓ６６、Ｓ７３、Ｓ８０、Ｓ８６）。このとき、使用者は編集処理中以外の所望のタイミングで画面を、選択受信データの本文データや添付ファイルの表示に切替えることができる。これにより煩わしいキー操作をすることなく、使用者の所望のタイミングで、受信メールを参照しながらそのメールに対する返信メールを作成するなど、表示画面を切替えることができる。
【０１２４】
なお、切替禁止指定受付手段１１６１が使用者による表示状態切替禁止指定を受付けて表示状態切替禁止とする以外に、使用者が表示部１４に表示された表示画面を見ながら操作部１５（画像編集操作手段）を操作して新規メール作成モードのメール本文の編集などの所定の操作を行なっているときには、表示状態を切替える機能が自動的に禁止されることは先に説明した通りである。
【０１２５】
次に図１２を参照して、図１２（Ａ）に示す表示状態切替１作動判定処理、図１２（Ｂ）に示す表示状態切替２作動判定処理の各サブルーチンについて説明する。ここでは、簡単のため、使用者の顔の位置が左から右へ、及び右から左へと所定角度以上変位したと検出されたときのみに、表示状態切替１、表示状態切替２が作動すると判定され表示状態の切替が行われるものとしている。
【０１２６】
表示状態切替１作動判定処理とは、被写体である使用者の顔の撮影映像が顔の左側から右側を撮影する方向へ、たとえば、撮影映像が図５の顔面正面映像から図６の顔面右斜め映像、図７の顔面右側面映像の方向へと変位するように、携帯電話機１の撮影手段の撮影位置が右方向に所定角度以上変位したか否かを判定する処理である。携帯電話機１の撮影手段の撮影位置が右方向に所定角度以上変位したと判定されたときに表示状態切替１が作動すると判定され表示部１４の表示画面の切替が行われる。この表示状態切替１作動は操作部１５のセンターキー１５１が押下げられ、「次へ」の指示が為されたときと同じ働きをする。
【０１２７】
表示状態切替２作動判定処理とは、被写体である使用者の顔の撮影映像が顔の右側から左側を撮影する方向へと変位するように、携帯電話機１の撮影位置が左方向に所定角度以上変位したか否かを判定する処理である。携帯電話機１の撮影手段の撮影位置が左方向に所定角度以上変位したと判定されたときに表示状態切替２が作動すると判定され表示部１４の表示画面の切替が行われる。この表示状態切替２作動は操作部１５の戻しキー１５７が押下げられ、「前へ戻す」の指示が為されたときと同じ働きをする。
【０１２８】
最初に表示状態切替１作動判定処理のサブルーチンのフローについて説明する。図１２（Ａ）において、Ｓ１にて、特定被写体（使用者の顔の撮影映像）の正面映像を特定映像として登録する。次にＳ２にて、撮影映像は特定映像と同じ被写体か、つまり、使用者の顔面が撮影されているか否かが判定される。特定映像と同じ被写体が撮影されている撮影映像であれば、Ｓ３にて、特定被写体の撮影映像が所定時間以上、たとえば０．５秒間以上略停止したか否かが判定される。０．５秒間以上略停止したと判定したとき、Ｓ４にて、この略停止した撮影映像を比較撮影映像として認定する。
【０１２９】
しかし使用者が操作部１５の所定のキーを押下げたときにその撮影映像を比較撮影映像と認定することにしてもよい。すなわち、使用者による比較撮影映像指定を受付ける比較撮影映像指定受付手段を備え、比較撮影映像指定受付手段が受付けた撮影映像を比較撮影映像特定手段１１３は比較撮影映像と認定することにしてもよい。
【０１３０】
次にＳ５にて、認定した比較撮影映像は特定映像の正面映像が右側面映像の方向に変位した映像か否かを方向判定手段１１４３が判定する。右側面映像の方向に変位した映像と判定されたときに、Ｓ６にて、認定した比較撮影映像が特定映像（顔面正面部の撮影映像、図５）から右側面映像の方向へ変位角度３０°以上変位したか否かが角度判定手段１１４４により判定される。変位角度３０°（所定角度）以上変位したと判定されたときに、Ｓ２７にて、表示状態切替１作動フラグをセットする。それ以外の場合は、表示状態切替１不作動と認定されるため、表示状態切替１作動フラグをセットすることはない。
【０１３１】
次に表示状態切替２作動判定処理のサブルーチンのフローについて、表示状態切替１作動判定処理のサブルーチンのフローと異なる箇所のみ説明する。図１２（Ｂ）において、Ｓ１５にて、認定した比較撮影映像は特定映像の正面映像が左側面映像の方向に変位した映像か否かを方向判定手段１１４３が判定する。左側面映像の方向へ変位した映像であると判定されたときに、Ｓ１６にて、認定した比較撮影映像は特定映像（顔面正面部の撮影映像、図５）から左側面映像の方向へ変位角度３０°以上変位したか否かが角度判定手段１１４４により判定される。変位角度３０°（所定角度）以上変位したと判定されたときに、Ｓ１７にて、表示状態切替２作動フラグをセットする。それ以外の場合は表示状態切替２不作動と認定されるため、表示状態切替２作動フラグをセットすることはない。
【０１３２】
次に図１３を参照して、先に説明した図８のＳ４６で使用する受信メール本文表示処理のサブルーチンについて説明する。
【０１３３】
Ｓ２１で、先に説明した図８のＳ４３で選択された閲覧受信メール本文データ１頁目が表示部１４に表示される。この選択された閲覧受信メール本文データ１頁目が表示部１４に表示されている状態で表示状態切替１作動判定処理のサブルーチンが実行され（Ｓ２２）、Ｓ２２ａで表示状態切替１作動フラグがセットされていると判断されたときは、Ｓ２２ｂで表示状態切替１作動フラグをリセットし、Ｓ２４で選択された閲覧受信メール本文データ１頁目に続く２頁目が存在するか否か判定される。Ｓ２２ａで表示状態切替１作動フラグがセットされていないと判断されても、Ｓ２３で使用者によりセンターキー１５１が押下げられたと判定されると、Ｓ２４で選択された閲覧受信メール本文データ１頁目に続く２頁目が存在するか否か判定される。Ｓ２２ａで表示状態切替１作動フラグがセットされていないと判断され、且つ、Ｓ２３でセンターキー１５１が押下げられなかったと判定されたときは、Ｓ２２の表示状態切替１作動判定処理のサブルーチン実行に戻る。
【０１３４】
Ｓ２４で、選択された閲覧受信メール本文データ１頁目に続く２頁目が存在すると判定されたときは、Ｓ２５で、図１６に例示する選択された閲覧受信メール本文データ２頁目が表示部１４に表示される。Ｓ２４で、選択された閲覧受信メール本文データ１頁目に続く２頁目が存在しないと判定されたときは、受信メール本文表示処理のサブルーチンは終了する。
【０１３５】
Ｓ２５の選択された閲覧受信メール本文データ２頁目が表示されている状態で、表示状態切替１作動判定処理のサブルーチンが実行され（Ｓ２６）、Ｓ２６ａで表示状態切替１作動フラグがセットされていると判定されるとＳ２６ｂで表示状態切替１作動フラグをリセットし、Ｓ３０に進み、選択された閲覧受信メール本文データ２頁目に続く３頁目が存在するか否か判定される。Ｓ２６ａで表示状態切替１作動フラグがセットされていないと判定されても、Ｓ２７で使用者によりセンターキー１５１が押下げられたと判定されると、Ｓ３０に進む。Ｓ２７で使用者によりセンターキー１５１が押下げられなかったと判定されたときは、Ｓ２８に進み、表示状態切替２作動判定処理のサブルーチンが実行される。
【０１３６】
Ｓ２８ａで表示状態切替２作動フラグがセットされていると判断されたときは、Ｓ２８ｂで表示状態切替２作動フラグをリセットし、Ｓ２１の選択された閲覧受信メール本文データ１頁目の表示に戻される。Ｓ２８ａで表示状態切替２作動フラグがセットされていないと判断されても、Ｓ２９で使用者により戻しキー１５７が押下げられたと判定されると、Ｓ２１の選択された閲覧受信メール本文データ１頁目の表示に戻される。Ｓ２９で戻しキー１５７が押下げられなかったと判定されたときは、Ｓ２６の表示状態切替１作動判定処理のサブルーチン実行に戻る。
【０１３７】
Ｓ３０で選択された閲覧受信メール本文データ２頁目に続く３頁目が存在するときは、Ｓ２５で、選択された閲覧受信メール本文データ３頁目が表示部１４に表示される。以下選択された閲覧受信メール本文データに続く頁が存在する間、Ｓ２６の表示状態切替１作動判定処理で表示状態切替１作動フラグがセットされていると判定されるか（Ｓ２６ａ）、Ｓ２７で使用者によりセンターキー１５１が押下げられたと判定されると、選択された閲覧受信メール本文データに続く頁が繰り返し表示部１４に表示される。続く頁が存在しないと判定されたとき、受信メール本文表示処理のサブルーチンは終了する。
【０１３８】
Ｓ２８の表示状態切替２作動判定処理で表示状態切替２作動フラグがセットされていると判定される（Ｓ２８ａ）と、表示状態切替２作動フラグをリセットして（Ｓ２８ｂ）Ｓ２１の選択された閲覧受信メール本文データ１頁目の表示に戻される。Ｓ２９で戻しキー１５７が押下げられたと判定されたときも、同様にＳ２１の選択された閲覧受信メール本文データ１頁目の表示に戻される。Ｓ２９で戻しキー１５７が押下げられなかったと判定されたときは、Ｓ２６の表示状態切替１作動判定処理のサブルーチン実行に戻る。
【０１３９】
このように表示状態切替１作動と判定されたときに、表示部１４に表示している選択された閲覧受信メール本文データに、表示部１４のスペースの関係で表示部１４に表示しきれずに残っている未表示の画像データが存在するか否かを検出し、残っている未表示の画像データが存在すれば、表示部１４に表示している選択された受信メールの本文データをこの残っている未表示の画像データに切替えて表示する。
【０１４０】
ここでは、表示状態切替として第１画像の表示状態から第２画像の表示状態に切替える例示説明であるため、受信メールの本文データを残っている未表示の画像データに切替えて表示することを例示している。しかしスクロール表示の表示状態に切替えて表示することもできる。この場合は、閲覧受信メール本文データ１頁目の表示を２頁目の表示に切替える（静止画像の切替表示状態）のでなく、１頁目の最初の表示が消え、その消えた分２頁目の表示が追加されていくスクロール表示状態（動画像表示状態）で表示される。このため１頁目の表示から２頁目の表示までが連続した情報として閲覧可能になる。
【０１４１】
選択された閲覧受信メール本文データに続く頁が存在する間、Ｓ２６の表示状態切替１作動判定処理で表示状態切替１作動フラグがセットされていると判定されるか（Ｓ２６ａ）、Ｓ２７で使用者によりセンターキー１５１が押下げられたと判定されると、選択された閲覧受信メール本文データに続く頁が繰り返し表示部１４に表示される。そしてＳ２８の表示状態切替２作動判定処理で表示状態切替２作動フラグがセットされていると判定される（Ｓ２８ａ）か、Ｓ２９で戻しキー１５７が押下げられたと判定されると、Ｓ２１の選択された閲覧受信メール本文データ１頁目の表示に戻される。
【０１４２】
このようにここでは、簡単に説明するため、閲覧受信メール本文データがｎ頁目を表示中に、表示状態切替２が作動したり、戻しキー１５７が押下げられると、閲覧受信メール本文データがｎ−１頁目の表示に戻るのではなく、１頁目の表示に戻されるフローとなっている。しかし、閲覧受信メール本文データがｎ頁目を表示中に、表示状態切替２が作動したり、戻しキー１５７が押下げられると、閲覧受信メール本文データが何頁目を表示しているかを検出し、ｎ−１頁目の表示に戻るフローにすることもできる。
【０１４３】
上記では、撮影手段によって得られる被写体映像で使用者の顔が左から右方向に所定角度以上変位する場合、右から左方向に所定角度以上変位する場合の検出パターンによりキー操作を省略できることについて説明した。しかし、この場合に限定する必要はない。たとえば、撮影手段によって得られる被写体映像が上から下、及び下から上などに変位方向を変えても同じことが実施可能である。
【０１４４】
また、撮影手段によって得られる被写体映像で使用者の顔が左から右方向に変位する場合、右から左方向に変位する場合の検出パターンによりキー操作を省略できることに加えて、撮影手段によって得られる被写体映像で使用者の顔が上から下方向に変位する場合、使用者の顔が下から上方向に変位する場合など、検出パターンをさらに増やすことによりさらにキー操作を省略することもできる。たとえば、表示状態切替としての表示画像の切替には左右の変位を、表示状態切替としての静止表示画像をスクロール表示状態に切替えるのには上下の変位を割当てることで、使用者はより直感的に操作することが可能であると考えられる。
【０１４５】
上記では、選択された閲覧受信メール本文を画面に表示させたり、本文に次頁があるときにその次頁を画面に表示させたり、閲覧受信メールに添付された添付ファイルがあるときにその添付ファイルを画面に表示させる場合を説明した。また携帯電話機１に撮影機能以外の２つ以上の複数の機能を起動させているときに、撮影機能以外の１つの機能により表示部１４に表示している画像データの表示状態を、撮影機能以外の別の機能による画像データの表示状態に、表示状態切替動作により、表示状態を切替させることも説明した。
【０１４６】
上記では、表示状態切替１作動とは、操作部１５のセンターキー１５１が押下げられ、「次へ」の指示が為されたときと同じ働きをし、表示状態切替２作動とは、操作部１５の戻しキー１５７が押下げられ、「前へ戻す」の指示が為されたときと同じ働きをすると説明した。つまり、センターキー１５１押下げの代わりに表示状態切替１を作動させ、戻しキー１５７押下げの代わりに表示状態切替２を作動させることを説明した。
【０１４７】
しかしながら、表示状態切替１作動とは、センターキー１５１押下げとは同じ効果を為すものに限定するのを意図するものではなく、表示状態切替１作動時までの状況を勘案し、独自に予め設定されているプログラムに従って表示状態を自動的に切替えるものであってもよい。同様に表示状態切替２作動とは、戻しキー１５７押下げとは同じ効果を為すものに限定するのを意図するものではなく、表示状態切替２作動時までの状況を勘案し、独自に予め設定されているプログラムに従って表示状態を自動的に切替えるものであってもよい。この場合表示状態切替１作動、表示状態切替２作動に特定の機能を持たせることもできる。
【０１４８】
上記フローチャートの変形例として、たとえば、使用者が新規メール作成後に確認のため、再度受信メール本文などを閲覧したくなることがある。このため、Ｓ８０でメール本文編集操作処理後に、表示状態切替２作動と判定された場合は、Ｓ７８のメール本文を編集するか否かの判定に戻るのではなく、Ｓ４６の受信メール本文表示処理のサブルーチン実行に戻し、Ｓ４６の受信メール本文表示処理のサブルーチン実行後に表示状態切替２作動と判定された場合は、使用者が新規メール作成後に戻すなどである。
【０１４９】
また上記フローチャートの変形例として、使用者は返信メールを準備したが、送信前にやはり気になってもう一度、閲覧受信メールを確認したくなる場合がある。そこでＳ９１で作成したメールを送信するか否かの判定直前に表示状態切替２作動と判定された場合は、Ｓ４６の受信メール本文表示処理のサブルーチン実行に戻し、Ｓ４６の受信メール本文表示処理のサブルーチン実行後に表示状態切替２作動と判定された場合は、Ｓ９１で作成したメールを送信するか否かの判定前の状態に戻すなどである。この変形例を実施するためには、表示状態切替１作動時の状況によりどのように表示状態を変動させるかを予めプログラムに設定しておくことが必要となる。
【０１５０】
上記フローチャートにおいて、返信メールを送付する旨の操作が使用者により為されるか否かの判定（Ｓ５７）、宛先を編集する操作が使用者により為されるか否かの判定（Ｓ６４）、件名を編集する操作が使用者により為されるか否かの判定（Ｓ７１）、メール本文を編集する操作が使用者により為されるか否かの判定（Ｓ７８）、ファイルを添付する操作が使用者により為されるか否かの判定（Ｓ８５）、作成したメールを送信する操作が使用者により為されるか否かの判定（Ｓ９１）はいずれもフローチャートとして、雑な記載である。たとえば、Ｓ５７を取り上げて、正確には、このＳ５７の段階で表示部１４に返信メールを送付するか否かを使用者に問合せる画面を表示して、使用者の意図を確認させるものである。他のＳ６４〜Ｓ９１も同様である。
【０１５１】
上記フローチャートにおいて、Ｓ２３・Ｓ４５でセンターキー１５１が押下げられなかったと判定されたときは、Ｓ２２・Ｓ４４の表示状態切替１作動判定処理のサブルーチン実行に戻るとの記載、Ｓ２９・Ｓ５０・Ｓ５６・Ｓ６３・Ｓ７０・Ｓ７７・Ｓ８４・Ｓ９０で戻しキー１５７が押下げられなかったと判定されたときは、Ｓ２５・Ｓ４７・Ｓ５３・Ｓ６０・Ｓ６７・Ｓ７４・Ｓ８１・Ｓ８７の表示状態切替１作動判定処理のサブルーチン実行に戻るとの記載はいずれもフローチャートとして、雑な記載である。たとえば、Ｓ４５でセンターキー１５１が押下げられなかったと判断されたときは、Ｓ４４の表示状態切替１作動判定処理のサブルーチン実行に戻るとの記載を取り上げて検証する。この場合正確には、Ｓ４５でセンターキー１５１が押下げられなかったと判断されたときは、処理を終了する（リターンとする）と記載すべきものである。なぜなら、Ｓ４４の表示状態切替１作動判定処理のサブルーチン実行に戻り、受信メール一覧画面で１つの受信メールを選択された状態にて、表示状態切替１作動フラグのセットか、センターキー１５１の押下げを待つ状態となる。つまり、コンピュータはここに釘付けになり、他の処理を行なえなくなるからである。Ｓ４５でセンターキー１５１が押下げられなかったと判断されたときは、処理を終了（リターン）しておけば、コンピュータは他の処理を行い、所定時間経過後に再びこのフローを行なうことができる。他の記載も同様に処理を終了する（リターンとする）と記載すべきものである。しかしながら、上記フローチャートの方が、理解しやすいものと考え、上記の記載をしていますが、正確には正しい記載ではありません。
【０１５２】
表示状態切替手段１１５が切替える、撮影機能以外の１つの機能が表示している表示状態の画像と他の機能の表示状態の画像との画像データは、互いに関連する画像データであることが多い。この表示状態切替手段１１５が切替える、互いに関連する画像データとしては、いろんな画像データが想定される。
【０１５３】
たとえば４月のカレンダーの画像データと、４月のカレンダーに各日のスケジュールデータが書き込まれた画像データとであったり、４月のカレンダーに各日のスケジュールデータが書き込まれた画像データとそのカレンダーの中から選択された日の詳細スケジュールデータの画像データとであったりする。
【０１５４】
複数の地図データの目次となる地図一覧データの画像データとこの地図一覧データの中から選択された１つの地図データの詳細データの画像データとであったり、画像データとこの画像データに関連する文字データとであったりする。
【０１５５】
次に、スクロール表示について簡単に説明しておく。スクロール表示とは、図１５に例示している選択受信メールの本文データにおいて、最初は「あいうえお」から「たちつてと」まで表示されており、次には「あいうえお」の表示が消え、「たちつてと」の表示の後に図１６に例示している「なにぬねの」が表示追加され、さらにその次には「かきくけこ」の表示が消え、「なにぬねの」の表示の後に「はひふへほ」が表示追加されていくように、次第次第に順繰りに上方の情報表示が消え、下方の情報が表示されていくようなものである。
【０１５６】
上記では、本文に次頁があるときに表示状態切替手段１１５が１頁目の表示を２頁目の表示に表示状態を切替える例を説明した。しかしこの頁切替表示に代えて、上記スクロール表示の表示状態に切替えることもできる。
【０１５７】
＜第２実施形態＞
第１実施形態では、使用者は携帯電話機１（携帯型電子機器）の撮影部１７（カメラ）の撮影方向と被撮影対象物の位置方向との相対角度を所定方向に所定角度以上変位させることで、キー操作を省略でき、表示部に少なくとも２画面の情報を容易に表示させることができ、操作性を向上させることができる携帯型電子機器であった。
【０１５８】
第２実施形態は、第１実施形態が必要とした、特定被写体変位判定手段１１４（方向変位検出手段１１４１、角度変位検出手段１１４２、方向判定手段１１４３、角度判定手段１１４４）を省き、表示状態切替手段１１５Ａを作動させる携帯型電子機器であり、操作性をさらに向上させたものである。第２実施形態における説明は、前述した第１実施形態における説明と異なる部分についてのみ、以下に記載する。
【０１５９】
第２実施形態においても第１実施形態における図１、図２は同様であり、重複する説明は繰返さない。第１実施形態における図３が第２実施形態においては、図２２となる。図３で説明した、第１実施形態の特定映像指定手段１１２（特定映像指定受付手段１１２１、映像登録手段１１２２）、比較撮影映像特定手段１１３（撮影映像判定手段１１３１、撮影映像停止状態判定手段１１３２）は、第２実施形態における図２２では、第１特定映像（第１特定被写体）指定手段１１２Ａ（第１特定映像指定受付手段１１２１Ａ、第１映像登録手段１１２２Ａ）、第２特定映像（第２特定被写体）指定手段１１２Ｂ（第２特定映像指定受付手段１１２１Ｂ、第２映像登録手段１１２２Ｂ）に相当する。
【０１６０】
図３で説明した、第１実施形態の特定被写体変位判定手段１１４は、第２実施形態における図２２では、特定映像検出手段１１８に相当する。図２２の表示状態切替手段１１５Ａ、表示状態切替禁止手段１１６Ａは、図３で説明した表示状態切替手段１１５、表示状態切替禁止手段１１６（切替禁止指定受付手段１１６１、切替禁止確認手段１１６２）と同様であり、重複する説明は繰返さない。
【０１６１】
なお上記において、第１特定映像（第１特定被写体）指定手段１１２Ａ（第１特定映像指定受付手段１１２１Ａ、第１映像登録手段１１２２Ａ）、第２特定映像（第２特定被写体）指定手段１１２Ｂ（第２特定映像指定受付手段１１２１Ｂ、第２映像登録手段１１２２Ｂ）、特定映像検出手段１１８、表示状態切替禁止手段１１６Ａ（切替禁止指定受付手段１１６１Ａ、切替禁止確認手段１１６２Ａ）を表示部１４の表示を制御する画像表示制御手段１１１Ａに備えていると説明している。しかし、画像表示制御手段１１１Ａに備える代わりに、制御部１１などに備えることにしてもよい。
【０１６２】
特定映像検出手段１１８は、撮影部１７が第１特定映像に続き第２特定映像を所定時間（たとえば、１秒間）内に撮影したと検出したときに、表示部１４の表示を第１画像表示状態から第２画像表示状態に切替える表示状態切替手段１１５Ａを作動させる。つまり、第１画像表示状態から第２画像表示状態に切替えるか否かの判定条件として、撮影手段によって得られる被写体映像が変化する特定の変化態様を採用することになる。
【０１６３】
具体例を用いてこの第２実施形態を説明する。使用者が第１特定映像として、使用者の左手の手の平を撮影部１７が撮影した映像を予め登録し、第２特定映像として、使用者の左手の手の甲を撮影部１７が撮影した映像を予め登録しておくものとする。
【０１６４】
第２実施形態でも、図８〜１１、図１３で説明した第１実施形態のフローチャートをそのまま流用して携帯電話機１の電子メールデータ閲覧画面における表示状態切替手段１１５Ａを用いた表示方法を説明できる。なお、第１実施形態同様、電子メールモードの受信メールに関して説明するが、送信メールに関しても同様である。
【０１６５】
図１２で説明した、第１実施形態の表示状態切替１作動判定処理、表示状態切替２作動判定処理は、第２実施形態では図２３の（Ａ）に示す表示状態切替１Ａ作動判定処理、図２３の（Ｂ）に示す表示状態切替２Ａ作動判定処理となる。すなわち、第２実施形態では、特定映像検出手段１１８により、撮影部１７が第１特定映像に続き第２特定映像を所定時間内に撮影したと検出したときに、表示状態切替１Ａ作動と判定され、特定映像検出手段１１８により、撮影部１７が第２特定映像に続き第１特定映像を所定時間内に撮影したと検出したときに、表示状態切替２Ａ作動と判定される。
【０１６６】
ここで大事なことを説明する。通常、撮影部１７が映像を撮影する際は、撮影モードを起動させておいて、図１に示すカメラキー１５２を押下げて撮影する。しかし、この特定映像検出手段１１８が検出の対象とする、撮影部１７による撮影映像とは、カメラキー１５２を押下げて撮影された撮影映像ではない。撮影モードが起動されているために、撮影部１７が撮影している映像である。したがって特定映像検出手段１１８は、撮影部１７が撮影する映像に、第１特定映像に続き第２特定映像を所定時間（たとえば、１秒間）内に撮影したと検出したときに、表示部１４の表示を第１画像表示状態から第２画像表示状態に切替える表示状態切替手段１１５Ａを作動させるものである。第１、いちいちカメラキー１５２を押下げて撮影するのであれば、直接、センターキー１５１や、戻しキー１５７を押下げる方が確実であり、これでは操作性が向上しない。
【０１６７】
表示状態切替１Ａ作動判定処理とは、特定映像検出手段１１８により、撮影部１７が第１特定映像に続き第２特定映像を所定時間内に撮影したか否かを判定する処理である。第１特定映像に続き第２特定映像を所定時間内に撮影したと判定されたときに表示状態切替１Ａが作動すると判定され表示部１４の表示画面の切替が行われる。この表示状態切替１Ａ作動は操作部１５のセンターキー１５１が押下げられ、「次へ」の指示が為されたときと同じ働きをする。
【０１６８】
表示状態切替１Ａ作動判定処理とは、特定映像検出手段１１８により、撮影部１７が第２特定映像に続き第１特定映像を所定時間内に撮影したか否かを判定する処理である。第２特定映像に続き第１特定映像を所定時間内に撮影したと判定されたときに表示状態切替２Ａが作動すると判定され表示部１４の表示画面の切替が行われる。この表示状態切替２Ａ作動は操作部１５の戻しキー１５７が押下げられ、「前へ戻す」の指示が為されたときと同じ働きをする。
【０１６９】
図８〜１１、図１３のフローチャートにおける「表示状態切替１作動判定処理」（Ｓ２２、Ｓ２６、Ｓ４４、Ｓ４７、Ｓ５３、Ｓ６０、Ｓ６７、Ｓ７４、Ｓ８１、Ｓ８７）、「表示状態切替２作動判定処理」（Ｓ２８、Ｓ４９、Ｓ５５、Ｓ６２、Ｓ６９、Ｓ７６、Ｓ８３、Ｓ８９）を、第２実施形態では図２３で説明した「表示状態切替１Ａ作動判定処理」、「表示状態切替２Ａ作動判定処理」に置き換えると、図８〜１１、図１３のフローチャートを第２実施形態でもそのまま流用できる。したがって図８〜１１、図１３のフローチャートをそのまま流用して第２実施形態の場合の携帯電話機１の電子メールデータ閲覧画面における表示状態切替手段１１５Ａを用いた表示方法のフローチャートを説明するのは、第１実施形態の場合の説明と重複するので割愛する。
【０１７０】
画像認識技術が発展している現在では、この画像認識技術を応用すれば、特定映像検出手段１１８により、撮影部１７が第１特定映像に続き第２特定映像を所定時間内に撮影したと検出したり、撮影部１７が第２特定映像に続き第１特定映像を所定時間内に撮影したと検出することは容易である。
【０１７１】
なお、第１特定映像、第２特定映像には、使用者の左手の手の平の映像、手の甲の映像に限ることなく、自由に設定できる。たとえば、左手を握り締めた状態から、親指１本のみを上方に立てた状態を第１特定映像として登録し、左手を握り締めた状態から、親指と人差指を立てた状態を第２特定映像として登録するとか、左手の映像を第１特定映像として登録し、左手に装着している使用者の腕時計の映像を第２特定映像として登録するなどである。要は、第１特定映像、第２特定映像として、見分け易い撮影映像を採用すればよい。したがって、進歩した画像認識技術を必要とする程の精密な画像認識ではなく、簡単な画像認識で十分である。
【０１７２】
また第１特定映像、第２特定映像は使用者が特定する場合に限定されることなく、携帯電話機１の製造メーカーが携帯電話機１の製造段階において予めＲＯＭやＲＡＭのメモリに登録しておくこともできる。あるいは、製造メーカーが携帯電話機１の製造段階において予めメモリにそれぞれ複数個の第１特定映像、第２特定映像候補あるいは複数組の第１特定映像、第２特定映像候補の組合せを記憶させておき、使用者に選択して登録させることもできる。たとえば、被写体が１０円硬貨、１００円硬貨である映像を第１特定映像、第２特定映像の候補にしておくなどである。
【０１７３】
しかしながら使用者が意図しない表示状態切替動作の発生、表示表示状態切替動作の誤動作を防止することを目的として表示状態切替禁止手段１１６Ａ（切替禁止指定受付手段１１６１Ａ、切替禁止確認手段１１６２Ａ）を備えてもよい。
【０１７４】
なお、この表示状態切替禁止手段１１６Ａを備える代わりに、第１特定映像、第２特定映像のいずれかを登録しないようにしてもよい。第１特定映像、第２特定映像のいずれかを登録していなければ、表示状態切替動作が発生しない。このために、先に第１実施形態で説明した表示状態切替動作を動作させる場合のＯＮ動作、動作させない場合のＯＦＦ動作の切替操作を備える必要も生じない。表示状態切替動作を動作させたいときだけ、第１特定映像、第２特定映像の２つ共を登録すればよい。
【０１７５】
この第２実施形態が如何に簡単に表示状態切替手段１１５Ａを作動させることができるかを上記の第１実施形態と比較して説明すると、その差がはっきりとする。第２実施形態において、上記の第１実施形態で説明した図５（正面からの使用者７の顔面部撮影映像）を第１特定映像として指定し、図６（右斜め前からの使用者７の顔面部撮影映像、ここでθ＝３０°とする。）を第２特定映像として指定したものとする。
【０１７６】
第１実施形態では、携帯電話機１（携帯型電子機器）がどの方向に、所定角度以上変位したかを知る必要があった。第２実施形態では、使用者７が携帯電話機１を手に持ってその撮影部１７の撮影方向を使用者７の顔面部に向けたまま、正面から右方向に、たとえば、角度４０°程度振れば、最初に第１特定映像が撮影され、まもなく第２特定映像も所定時間（たとえば１秒間）内に撮影される。したがって、表示状態切替手段１１５Ａを簡単に作動させることができる。とにかく、第２特定映像の角度θ（３０°）以上に振るだけで済む。角度θ（３０°）以上振れば、その間に必ず第２特定映像が撮影されるからである。
【０１７７】
なお、第２実施形態の応用例として、さらに第３特定映像、第４特定映像、第５特定映像・・・と特定映像の指定数をさらに増やし、これらの特定映像の組合せにより、種々の操作キーの押下げの代用とすることで、操作の利便性を向上させることもできる。
【０１７８】
たとえば、撮影部１７が第１特定映像に続き第３特定映像を所定時間内に撮影したと特定映像検出手段１１８が検出したときは、操作キーＡの押下げの代用とし、撮影部１７が第３特定映像に続き第２特定映像を所定時間内に撮影したと特定映像検出手段１１８が検出したときは、操作キーＢの押下げの代用とするなどである。
【０１７９】
＜第３実施形態＞
第２実施形態では、第１特定映像、第２特定映像の２つの特定映像を使用者７が指定する必要があった。しかしながら、この特定映像の指定を１つだけとすることもでき、さらに簡単に表示状態切替手段１１５Ｃを作動させることができる。
【０１８０】
第３実施形態は、第２実施形態が必要とした第２特定映像を使用者７が指定する必要がなく、表示状態切替手段１１５Ｃを作動させる携帯型電子機器であり、操作性をさらに向上させたものである。第３実施形態における説明は、前述した第２実施形態における説明と異なる部分についてのみ、以下に記載する。
【０１８１】
第３実施形態においても第１実施形態における図１、図２は同様であり、重複する説明は繰返さない。第１実施形態における図３が第３実施形態においては、図２４となる。図２４は第２実施形態における図２２で説明した第２特定映像（第２特定被写体）指定手段１１２Ｂ（第２特定映像指定受付手段１１２１Ｂ、第２映像登録手段１１２２Ｂ）を省いたものである。
【０１８２】
図２２で説明した第２実施形態の第１特定映像（第１特定被写体）指定手段１１２Ａ（第１特定映像指定受付手段１１２１Ａ、第２映像登録手段１１２２Ａ）を第３実施形態の図２４では、特定映像（特定被写体）指定手段１１２Ｃ（特定映像指定受付手段１１２１Ｃ、映像登録手段１１２２Ｃ）としている。図２２で説明した第２実施形態の特定映像検出手段１１８、表示状態切替手段１１５Ａ、表示状態切替禁止手段１１６Ａ（切替禁止指定受付手段１１６１Ａ、切替禁止確認手段１１６２Ａ）を、第３実施形態の図２４では、特定映像検出手段１１８Ｃ、表示状態切替手段１１５Ｃ、表示状態切替禁止手段１１６Ｃ（切替禁止指定受付手段１１６１Ｃ、切替禁止確認手段１１６２Ｃ）としている。第３実施形態の図２４では、第２実施形態における図２２で説明した第２特定被写体（第２特定映像）指定手段１１２Ｂ（第２特定映像指定受付手段１１２１Ｂ、第２映像登録手段１１２２Ｂ）を省いたこと以外は同様であり、重複する説明は繰返さない。
【０１８３】
なお上記において、特定映像（特定被写体）指定手段１１２Ｃ（特定映像指定受付手段１１２１Ｃ、映像登録手段１１２２Ｃ）、特定映像検出手段１１８Ｃ、表示状態切替禁止手段１１６Ｃ（切替禁止指定受付手段１１６１Ｃ、切替禁止確認手段１１６２Ｃ）を表示部１４の表示を制御する画像表示制御手段１１１Ｃに備えていると説明している。しかし、画像表示制御手段１１１Ｃに備える代わりに、制御部１１などに備えることにしてもよい。
【０１８４】
特定映像検出手段１１８Ｃは、撮影部１７が特定映像を検出したときに、表示部１４の表示を第１画像表示状態から第２画像表示状態に切替える表示状態切替手段１１５Ｃを作動させる。
【０１８５】
具体例を用いてこの第３実施形態を説明する。使用者が特定映像として、指輪を嵌めている左手の指を撮影部１７が撮影した映像を特定映像として予め指定しておくものとする。
【０１８６】
第３実施形態でも、図８〜１１、図１３で説明したフローチャートを部分的にそのまま流用して、第３実施形態の携帯電話機１の電子メールデータ閲覧画面における表示状態切替手段１１５Ｃを用いた表示方法を説明できる。なお、第１実施形態同様、電子メールモードの受信メールに関して説明するが、送信メールに関しても同様である。
【０１８７】
図２３で説明した、第２実施形態の表示状態切替１作動判定処理、表示状態切替２作動判定処理は、第３実施形態では図２５に示す表示状態切替作動判定処理となる。すなわち、第３実施形態では、特定映像検出手段１１８Ｃにより、撮影部１７が特定映像を撮影したと検出したときに、表示状態切替作動と判定される。
【０１８８】
ここで大事なことを説明する。通常、撮影部１７が映像を撮影する際は、撮影モードを起動させておいて、図１に示すカメラキー１５２を押下げて撮影する。しかし、この特定映像検出手段１１８Ｃが検出の対象とする、撮影部１７による撮影映像とは、カメラキー１５２を押下げて撮影された撮影映像ではない。撮影モードが起動されているために、撮影部１７が撮影している映像である。したがって特定映像検出手段１１８Ｃは、撮影部１７が撮影する映像に、特定映像を撮影したと検出したときに、表示部１４の表示を第１画像表示状態から第２画像表示状態に切替える表示状態切替手段１１５Ｃを作動させるものである。第１、いちいちカメラキー１５２を押下げて撮影するのであれば、直接、センターキー１５１や、戻しキー１５７を押下げる方が確実であり、これでは操作性が向上しない。
【０１８９】
表示状態切替作動判定処理とは、特定映像検出手段１１８Ｃにより、撮影部１７が特定映像を撮影したか否かを判定する処理である。特定映像を撮影したと判定されたときに表示状態切替が作動すると判定され表示部１４の表示画面の切替が行われる。この表示状態切替作動は操作部１５のセンターキー１５１が押下げられ、「次へ」の指示が為されたときと同じ働きをする。
【０１９０】
図８〜１１、図１３のフローチャートにおける「表示状態切替１作動判定処理」（Ｓ２２、Ｓ２６、Ｓ４４、Ｓ４７、Ｓ５３、Ｓ６０、Ｓ６７、Ｓ７４、Ｓ８１、Ｓ８７）を、第３実施形態では図２５で説明した「表示状態切替作動判定処理」に置き換えると、図８〜１１、図１３のフローチャートを第３実施形態でも部分的にそのまま流用できる。
【０１９１】
画像認識技術が発展している現在では、この画像認識技術を応用すれば、特定映像検出手段１１８Ｃにより、撮影部１７が特定映像を撮影したと検出することは容易である。
【０１９２】
なお特定映像としては、使用者の左手指の指輪部分の映像を登録する場合を例示したが、この例示映像に限ることなく、特定映像を自由に設定できる。たとえば、使用者が通常身に付けている特徴のある物、たとえば、腕時計などの撮影映像を特定映像とすることで、表示状態切替手段１１５Ｃの誤作動を軽減することが可能と思われる。要は、特定映像として、見分け易い撮影映像を採用すれば、進歩した画像認識技術を必要とする程の精密な画像認識ではなく、簡単な画像認識で十分である。
【０１９３】
また特定映像は使用者が特定する場合に限定されることなく、携帯電話機１の製造メーカーが携帯電話機１の製造段階において予めＲＯＭやＲＡＭのメモリに登録しておくこともできる。
【０１９４】
しかしながら使用者が意図しない表示状態切替動作の発生、表示表示状態切替動作の誤作動を防止することを目的として表示状態切替禁止手段１１６Ｃ（切替禁止指定受付手段１１６１Ｃ、切替禁止確認手段１１６２Ｃ）を備えてもよい。
【０１９５】
なお、この表示状態切替禁止手段１１６Ｃを備える代わりに、特定映像を登録しないようにしてもよい。特定映像を登録していなければ、表示状態切替動作が発生しない。このために、先に第１実施形態で説明した表示状態切替動作を動作させる場合のＯＮ動作、動作させない場合のＯＦＦ動作の切替操作を備える必要も生じない。表示状態切替動作を動作させたいときだけ、特定映像を登録すればよい。
【０１９６】
なお、第３実施形態の応用例として、さらに第２特定映像、第３特定映像、第４特定映像・・・と特定映像の指定数をさらに増やし、撮影部１７がこれらの特定映像を撮影したと検出したときは、種々の操作キーの押下げの代用とすることで、操作の利便性を向上させることもできる。
【０１９７】
たとえば、撮影部１７が第１特定映像を撮影したと検出したときは、操作キーＤの押下げの代用とし、撮影部１７が第２特定映像を撮影したと検出したときは、操作キーＥの押下げの代用とするなどである。
【０１９８】
上記第１実施形態、第２実施形態、第３実施形態では、携帯電話機１における表示状態切替手段１１５、１１５Ａ、１１５Ｃの動作やこの動作を作動させる構成について説明した。この説明から携帯電話機１における表示状態切替の表示制御方法とすることもできる。また、この携帯電話機１における表示状態切替の表示制御方法をコンピュータに実行させるコンピュータ読み取り可能なプログラムにすることもできる。さらには、このプログラムを記憶媒体に記録して販売することもできる。プログラムコードを供給するための記憶媒体としては、たとえば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０１９９】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【０２００】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【０２０１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０２０２】
【図１】携帯電話機１の折畳み機構部６を開いた状態で、蓋部４、本体部５を内側から見た外観図である。
【図２】携帯電話機１の電気的構成を説明する概略機能ブロック図である。
【図３】第１実施形態における画像表示制御手段１１１について説明する概略機能ブロック図である。
【図４】第１実施形態において使用者７が右手８に持った携帯電話機１を右方向に角度θ°振り回す（変位させる）状況を使用者７の真上から見た概略上面図である。
【図５】図４において携帯電話機１の撮影部１７が使用者７の顔面部を１（Ａ）の位置において撮影した特定映像である。
【図６】図４において携帯電話機１の撮影部１７が使用者７の顔面部を１（Ｂ）の位置において撮影した比較撮影映像である。
【図７】図４において携帯電話機１の撮影部１７が使用者７の顔面部を真横の側面位置において撮影した比較撮影映像である。
【図８】第１実施形態における携帯電話機１の電子メールデータ閲覧画面における表示状態切替手段１１５を用いた表示切替方法を説明するためのフローチャートである。
【図９】図８に示す表示切替方法のフローチャートの続きのフローチャートである。
【図１０】図９に示す表示切替方法のフローチャートの続きのフローチャートである。
【図１１】図１０に示す表示切替方法のフローチャートの続きのフローチャートである。
【図１２】第１実施形態における表示状態切替１作動判定処理、表示状態切替２作動判定処理のサブルーチンプログラムを説明するためのフローチャートである。
【図１３】第１実施形態における受信メール本文表示処理のサブルーチンプログラムを説明するためのフローチャートである。
【図１４】表示部１４に表示される受信メール一覧画面の例示画像である。
【図１５】表示部１４に表示される受信メール本文データ１頁目の例示画像である。
【図１６】表示部１４に表示される受信メール本文データ２頁目の例示画像である。
【図１７】表示部１４に表示される添付ファイルの例示画像である。
【図１８】表示部１４に表示される新規メール作成画面の例示画像である。
【図１９】表示部１４に表示される宛先編集画面の例示画像である。
【図２０】表示部１４に表示される件名編集画面の例示画像である。
【図２１】表示部１４に表示されるメール本文編集画面の例示画像である。
【図２２】第２実施形態における画像表示制御手段１１１Ａについて説明する概略機能ブロック図である。
【図２３】第２実施形態における表示状態切替１Ａ作動判定処理、表示状態切替２Ａ作動判定処理のサブルーチンプログラムを説明するためのフローチャートである。
【図２４】第３実施形態における画像表示制御手段１１１Ｃについて説明する概略機能ブロック図である。
【図２５】第３実施形態における表示状態切替作動判定処理のサブルーチンプログラムを説明するためのフローチャートである。
【符号の説明】
【０２０３】
１  携帯電話機、１１  制御部、１４  表示部、１５  操作部、１７  撮影部、１１１，１１１Ａ，１１１Ｃ  表示画像制御手段、１１２，１１２Ｃ  特定映像指定手段、１１２Ａ  第１特定映像指定手段、１１２Ｂ  第２特定映像指定手段、１１３  比較撮影映像特定手段、１１４  特定被写体変位判定手段、１１５，１１５Ａ，１１５Ｃ  表示状態切替手段、１１６，１１６Ａ，１１６Ｃ  表示状態切替禁止手段、１１８，１１８Ｃ  特定映像検出手段。
【図１】
2009300884.tif 000003
【図２】
2009300884.tif 000004
【図３】
2009300884.tif 000005
【図４】
2009300884.tif 000006
【図５】
2009300884.tif 000007
【図６】
2009300884.tif 000008
【図７】
2009300884.tif 000009
【図８】
2009300884.tif 000010
【図９】
2009300884.tif 000011
【図１０】
2009300884.tif 000012
【図１１】
2009300884.tif 000013
【図１２】
2009300884.tif 000014
【図１３】
2009300884.tif 000015
【図１４】
2009300884.tif 000016
【図１５】
2009300884.tif 000017
【図１６】
2009300884.tif 000018
【図１７】
2009300884.tif 000019
【図１８】
2009300884.tif 000020
【図１９】
2009300884.tif 000021
【図２０】
2009300884.tif 000022
【図２１】
2009300884.tif 000023
【図２２】
2009300884.tif 000024
【図２３】
2009300884.tif 000025
【図２４】
2009300884.tif 000026
【図２５】
2009300884.tif 000027